(57)【要約】【課題】光変調素子を効果的に冷却して熱劣化を抑制できるプロジェクタを提供する。【解決手段】光変調素子保持体４２２は、液晶パネル４２１の光束入射側および光束射出側に第１の空間Ａ１１，Ａ１２を形成する一対の板状部４２２Ｒ，４２２Ｌを含んで構成される。冷却ユニット７は、冷却ファンにて吐出された冷却空気Ｇを光変調装置４２Ｇの近傍位置まで導く吐出側ダクト７３を備える。吐出側ダクト７３は、内部にて光変調装置４２の光変調面に沿う方向に冷却空気Ｇを流通させた後、流通方向と略直交する方向に冷却空気Ｇ１，Ｇ２，Ｇ３を流出して光変調装置４２Ｇに向けて送風する。吐出側ダクト７３から送風された冷却空気Ｇ１，Ｇ２，Ｇ３のうち第１の空間Ａ１１，Ａ１２を外れた冷却空気Ｇ２，Ｇ３を、一対の板状部４２２Ｒ，４２２Ｌと各整流面６１２との間の第２の空間Ａ２に流通させる整流部材６１１を備える。【選択図】図８
2007256500.tif 000002
【特許請求の範囲】
【請求項１】
光源装置と、前記光源装置から射出された光束を画像情報に応じて変調する光変調装置と、前記光変調装置にて変調された光束を拡大投射する投射光学装置と、前記光変調装置に向けて冷却空気を送風し前記光変調装置を冷却する冷却装置とを備えたプロジェクタであって、
前記光変調装置は、前記光源から射出された光束を画像情報に応じて変調する光変調素子と、前記光変調素子を保持する光変調素子保持体とを備え、
前記光変調素子保持体は、熱伝導性材料から構成され前記光変調素子に熱伝達可能に接続し、前記光変調素子における光変調面に平行な平面に交差し互いに対向する一対の側端部をそれぞれ平面的に覆い前記光変調素子の光束入射側および光束射出側の少なくともいずれか一方側に空気を流通可能とする第１の空間を形成する一対の板状部を含んで構成され、
前記冷却装置は、冷却空気を吸入して吐出する冷却ファンと、前記冷却ファンにて吐出された冷却空気を前記光変調装置の近傍位置まで導く吐出側ダクトとを含んで構成され、
前記吐出側ダクトは、前記冷却ファンにて吐出された冷却空気を内部に流入し、内部にて前記光変調装置の前記光変調面に沿う方向に冷却空気を流通させた後、内部における冷却空気の流通方向と略直交する方向に冷却空気を流出して前記光変調装置に向けて送風し、
前記一対の板状部における互いに対向する各端面とは反対側の各端面にそれぞれ対向する各整流面を有し、前記一対の板状部と前記各整流面との間にそれぞれ空気を流通可能とする第２の空間を形成し、前記吐出側ダクトから送風された冷却空気のうち前記第１の空間を外れた冷却空気を、前記第２の空間に流通させる整流部材を備えていることを特徴とするプロジェクタ。
【請求項２】
請求項１に記載のプロジェクタにおいて、
前記吐出側ダクトは、内部を流通する冷却空気の流通方向終端部分の端部位置が前記一対の板状部における前記流通方向後段側の板状部の配設位置よりも平面視で前記流通方向前段側に配設され、
前記吐出側ダクトには、前記流通方向に沿う外周面に前記吐出側ダクト内部を流通する冷却空気を前記第１の空間に向けて流出させる第１の流出口と、前記流通方向終端部分の端部に前記吐出側ダクト内部を流通する冷却空気を流出させる第２の流出口とが形成され、前記流通方向終端部分の端部に前記第２の流出口を介して流出した冷却空気を前記流通方向後段側の前記板状部と前記流通方向後段側の前記整流面との間の前記第２の空間に導く導風ガイド部が設けられていることを特徴とするプロジェクタ。
【請求項３】
請求項２に記載のプロジェクタにおいて、
前記吐出側ダクトには、前記流通方向に沿う外周面に前記吐出側ダクト内部を流通する冷却空気を前記流通方向前段側の前記板状部と前記流通方向前段側の前記整流面との間の前記第２の空間に向けて流出させる第３の流出口が形成され、前記流通方向に沿う外周面に前記第３の流出口を介して流出した冷却空気を前記流通方向前段側の前記板状部と前記流通方向前段側の前記整流面との間の前記第２の空間に導く補助整流部が設けられていることを特徴とするプロジェクタ。
【請求項４】
請求項１から請求項３に記載のプロジェクタにおいて、
前記光変調装置は、複数で構成され、
前記吐出側ダクトは、前記複数の光変調装置の近傍位置に冷却空気をそれぞれ導く複数の流通部を有し、
前記複数の流通部のうち少なくともいずれかの流通部は、該流通部に対応する前記光変調装置の前記光変調面に沿う方向に冷却空気を流通させた後、内部における冷却空気の流通方向と略直交する方向に冷却空気を流出して前記光変調装置に向けて送風することを特徴とするプロジェクタ。
【請求項５】
請求項４に記載のプロジェクタにおいて、
前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、
前記３つの光変調装置をそれぞれ取り付けるための３つの光束入射側端面を有し前記光変調装置を構成する各光変調素子にて変調された各光束を合成する色合成光学装置を備え、
前記複数の流通部は、前記緑色光側光変調装置の近傍位置、および前記赤色側光変調装置の近傍位置の双方に冷却空気を導く第１流通部と、前記青色光側光変調装置の近傍位置に冷却空気を導く第２流通部とで構成され、
前記第１流通部は、内部を流通する冷却空気の流通方向終端側が緑色光側分岐部および赤色光側分岐部の２つに分岐され、前記緑色光側分岐部が前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、前記赤色光側分岐部が前記赤色光側光変調装置の前記光変調面と略直交する方向に冷却空気を流通させた後、内部における冷却空気の流通方向と略直交する方向に冷却空気を流出して前記赤色光側光変調装置に向けて冷却空気を送風し、
前記第２流通部は、前記青色光側光変調装置の前記光変調面に沿う方向に冷却空気を流通させた後、内部における冷却空気の流通方向と略直交する方向に冷却空気を流出して前記青色光側光変調装置に向けて冷却空気を送風することを特徴とするプロジェクタ。
【請求項６】
請求項４に記載のプロジェクタにおいて、
前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、
前記３つの光変調装置をそれぞれ取り付けるための３つの光束入射側端面を有し前記光変調装置を構成する各光変調素子にて変調された各光束を合成する色合成光学装置を備え、
前記複数の流通部は、前記緑色光側光変調装置の近傍位置に冷却空気を導く第１流通部と、前記赤色光側光変調装置の近傍位置、および前記青色光側光変調装置の近傍位置の双方に冷却空気を導く第２流通部とで構成され、
前記第１流通部は、前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、
前記第２流通部は、前記赤色光側光変調装置および前記青色光側光変調装置の前記光変調面と略直交する方向に冷却空気を流通させた後、内部における冷却空気の流通方向と略直交する方向に冷却空気をそれぞれ流出して前記赤色光側光変調装置および前記青色光側光変調装置に向けて冷却空気をそれぞれ送風することを特徴とするプロジェクタ。
【請求項７】
請求項４に記載のプロジェクタにおいて、
前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、
前記３つの光変調装置をそれぞれ取り付けるための３つの光束入射側端面を有し前記光変調装置を構成する各光変調素子にて変調された各光束を合成する色合成光学装置を備え、
前記複数の流通部は、前記緑色光側光変調装置の近傍位置に冷却空気を導く第１流通部と、前記赤色光側光変調装置の近傍位置、および前記青色光側光変調装置の近傍位置の双方に冷却空気を導く第２流通部とで構成され、
前記第１流通部は、前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、
前記第２流通部は、内部を流通する冷却空気の流通方向終端側が赤色光側分岐部および青色光側分岐部の２つに分岐され、前記赤色光側分岐部が前記赤色光側光変調装置の前記光変調面と略直交する方向に冷却空気を流通させた後、内部における冷却空気の流通方向と略直交する方向に冷却空気をそれぞれ流出して前記赤色光側光変調装置に向けて冷却空気を送風し、前記青色光側分岐部が前記青色光側光変調装置の前記光変調面に沿う方向に冷却空気を流通させた後、内部における冷却空気の流通方向と略直交する方向に冷却空気を流出して前記青色光側光変調装置に向けて冷却空気を送風することを特徴とするプロジェクタ。
【請求項８】
請求項７に記載のプロジェクタにおいて、
前記青色光側分岐部は、前記青色光側光変調装置の前記光変調面と略直交する方向に冷却空気を流通させた後、冷却空気の流通方向を屈曲させ、前記光変調面に沿う方向に冷却空気を流通させ、前記青色光側分岐部における前記流通方向を屈曲させる屈曲部分が前記青色光側光変調装置を構成する前記流通方向前段側の板状部と前記流通方向前段側の整流面との間の前記第２の空間に平面的に位置するように配設され、
前記屈曲部分には、前記流通方向に沿う外周面に前記青色光側分岐部内部を流通する冷却空気を前記流通方向前段側の板状部と前記流通方向前段側の整流面との間の前記第２の空間に向けて流出させる第３の流出口が形成され、前記流通方向に沿う外周面に前記第３の流出口を介して流出した冷却空気を前記流通方向前段側の板状部と前記流通方向前段側の前記整流面との間の前記第２の空間に導く補助整流部が設けられていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成する光変調素子と、変調された光束を拡大投射する投射光学装置とを備えるプロジェクタが知られている。
このうち、光変調素子は、光源から射出された光束を変調する際、光束の一部を吸収する。光変調素子が光束の一部を吸収すると、光変調素子自体の温度が上昇する。そして、このような状態では、光変調素子に熱劣化が生じる恐れがある。
このため、このような光変調素子を内部に有するプロジェクタは、光変調素子の温度上昇を緩和するために、冷却装置を備えた構成が提案されている（例えば、特許文献１参照）。
【０００３】
特許文献１に記載の冷却装置は、冷却空気を吸入して吐出する冷却ファンと、冷却ファンにて吐出された冷却空気を光変調素子の近傍位置まで導く吐出側ダクトとを含んで構成される。ここで、吐出側ダクトは、冷却ファンにて吐出された冷却空気を内部に流入させる流入口、および内部を流通する冷却空気の流通方向と略直交する方向に冷却空気を流出させ光変調素子に冷却空気を送風する流出口を有し、光変調素子の光変調面に沿う方向に冷却空気を流通させた後、流出口を介して光変調素子に冷却空気を送風する。また、光変調素子を保持する保持枠には、光束射出側に向けて延出する一対の延出部が形成された放熱部材が取り付けられ、一対の延出部により光変調素子の光束射出側に空気を流通可能とする空間を形成している。そして、上述した構成により、吐出側ダクトから光変調素子に向けて冷却空気を送風し前記空間に冷却空気を流通させることで、冷却空気を光変調素子全面に亘って送風させ、光変調素子を均一に冷却している。
【０００４】
【特許文献１】特開２００５−３３８２３６号公報
【発明の開示】
【発明が解決しようとする課題】
【０００５】
ところで、特許文献１では、保持枠および放熱部材が熱伝導性材料から構成されているため、光変調素子に生じた熱は、光変調素子〜保持枠〜放熱部材の熱伝達経路を辿って放熱される。すなわち、光変調素子から伝達された熱により放熱部材の温度が上昇しやすい。このため、放熱部材の温度を低減させて光変調素子〜保持枠〜放熱部材の熱伝達経路を辿る熱伝達特性を良好にしなければ、前記熱伝達経路での熱抵抗が大きくなり、光変調素子を効果的に冷却できない。
しかしながら、特許文献１では、吐出側ダクトから光変調素子に向けて送風された冷却空気のうち、前記空間を流通する冷却空気は放熱部材の一対の延出部の互いに対向する内側面に送風されるが、前記空間を外れた冷却空気は一対の延出部の外側面に沿って流通することがないため、放熱部材の温度を良好に低減させることが難しい。すなわち、光変調素子を効果的に冷却できない、という問題がある。
【０００６】
本発明の目的は、光変調素子を効果的に冷却して熱劣化を抑制できるプロジェクタを提供することにある。
【課題を解決するための手段】
【０００７】
本発明のプロジェクタは、光源装置と、前記光源装置から射出された光束を画像情報に応じて変調する光変調装置と、前記光変調装置にて変調された光束を拡大投射する投射光学装置と、前記光変調装置に向けて冷却空気を送風し前記光変調装置を冷却する冷却装置とを備えたプロジェクタであって、前記光変調装置は、前記光源から射出された光束を画像情報に応じて変調する光変調素子と、前記光変調素子を保持する光変調素子保持体とを備え、前記光変調素子保持体は、熱伝導性材料から構成され前記光変調素子に熱伝達可能に接続し、前記光変調素子における光変調面に平行な平面に交差し互いに対向する一対の側端部をそれぞれ平面的に覆い前記光変調素子の光束入射側および光束射出側の少なくともいずれか一方側に空気を流通可能とする第１の空間を形成する一対の板状部を含んで構成され、前記冷却装置は、冷却空気を吸入して吐出する冷却ファンと、前記冷却ファンにて吐出された冷却空気を前記光変調装置の近傍位置まで導く吐出側ダクトとを含んで構成され、前記吐出側ダクトは、前記冷却ファンにて吐出された冷却空気を内部に流入し、内部にて前記光変調装置の前記光変調面に沿う方向に冷却空気を流通させた後、内部における冷却空気の流通方向と略直交する方向に冷却空気を流出して前記光変調装置に向けて送風し、前記一対の板状部における互いに対向する各端面とは反対側の各端面にそれぞれ対向する各整流面を有し、前記一対の板状部と前記各整流面との間にそれぞれ空気を流通可能とする第２の空間を形成し、前記吐出側ダクトから送風された冷却空気のうち前記第１の空間を外れた冷却空気を、前記第２の空間に流通させる整流部材を備えていることを特徴とする。
【０００８】
ここで、光変調素子の光変調面に沿う方向とは、光源装置から射出され光変調素子に入射する光束の光軸に直交する平面に沿う方向を意味する。
本発明では、光変調素子保持体が一対の板状部を含んで構成されているので、光変調素子の光束入射側および光束射出側の少なくともいずれかの側に、光変調素子および一対の板状部により囲まれた第１の空間が形成され、該第１の空間に空気を流通可能とする。また、冷却装置を構成する吐出側ダクトは、内部にて光変調素子の光変調面に沿う方向に冷却空気を流通させた後、内部における冷却空気の流通方向と略直交する方向に冷却空気を流出して光変調装置に向けて送風する。このため、吐出側ダクトから送風された冷却空気は、光変調素子の光変調面を含む平面内において、吐出側ダクト内部を流通する冷却空気の流通方向と直交する方向に対して前記流通方向に傾斜を持って流通することとなる。そして、吐出側ダクトから送風された冷却空気のうち、第１の空間に導入された冷却空気は、例えば、冷却空気が光変調装置の下方から上方に向けて流通する場合には、光変調素子の下方側の角部分から該角部分の対角位置となる上方側の角部分に向うような傾斜を持って流通することとなる。したがって、第１の空間内において、光変調素子の光変調面全面に亘って冷却空気を送風させることが可能な構成となり、光変調素子を均一に冷却できる。
【０００９】
また、一対の板状部は、熱伝導性材料から構成され、光変調素子に熱伝達可能に接続しているので、光変調素子に生じた熱を一対の板状部に伝達させることができる。
さらに、プロジェクタは、整流部材を備えているので、一対の板状部と該整流部材の各整流面との間に第２の空間が形成され、該第２の空間に空気を流通可能とする。そして、整流部材は、吐出側ダクトから送風された冷却空気のうち、第１の空間を外れた冷却空気を第２の空間に導入させる。すなわち、一対の板状部の互いに対向する各端面に沿って第１の空間を流通する冷却空気が送風されるとともに、一対の板状部の前記各端面とは反対側の各端面に沿って第２の空間を流通する冷却空気が送風されることとなる。このため、一対の板状部の温度を効果的に低減し、光変調素子〜一対の板状部の熱伝達経路での熱抵抗を小さくし、光変調素子を効果的に冷却できる。
したがって、冷却装置による強制空冷に加えて光変調素子から一対の板状部への熱伝導により、光変調素子を効果的に冷却し、光変調素子の熱劣化を抑制できる。
【００１０】
本発明のプロジェクタでは、前記吐出側ダクトは、内部を流通する冷却空気の流通方向終端部分の端部位置が前記一対の板状部における前記流通方向後段側の板状部の配設位置よりも平面視で前記流通方向前段側に配設され、前記吐出側ダクトには、前記流通方向に沿う外周面に前記吐出側ダクト内部を流通する冷却空気を前記第１の空間に向けて流出させる第１の流出口と、前記流通方向終端部分の端部に前記吐出側ダクト内部を流通する冷却空気を流出させる第２の流出口とが形成され、前記流通方向終端部分の端部に前記第２の流出口を介して流出した冷却空気を前記流通方向後段側の前記板状部と前記流通方向後段側の前記整流面との間の前記第２の空間に導く導風ガイド部が設けられていることが好ましい。
本発明では、吐出側ダクトは、流通方向終端部分の端部位置が流通方向後段側の板状部の配設位置よりも平面視で流通方向前段側に配設されているので、平面視で第１の流出口が第１の空間に対して流通方向前段側に配置されることとなる。このため、第１の流出口を介した後に導入される第１の空間内で、光変調素子の光変調面を含む平面内において、吐出側ダクト内部を流通する冷却空気の流通方向と直交する方向に対して前記流通方向に傾斜を持って流通する冷却空気を、より効果的に光変調素子の光変調面全面に亘って送風させることが可能な構成となり、光変調素子をさらに均一に冷却できる。
また、上述したように吐出側ダクトを配設した場合であっても、吐出側ダクトの流通方向終端部分の端部において、第２の流出口が形成されるとともに導風ガイド部が設けられているので、流通方向後段側の板状部と流通方向後段側の整流面との間の第２の空間に冷却空気を確実に流通させることができ、流通方向後段側の板状部の温度を効果的に低減し光変調素子を効果的に冷却できる。
【００１１】
本発明のプロジェクタでは、前記吐出側ダクトには、前記流通方向に沿う外周面に前記吐出側ダクト内部を流通する冷却空気を前記流通方向前段側の前記板状部と前記流通方向前段側の前記整流面との間の前記第２の空間に向けて流出させる第３の流出口が形成され、前記流通方向に沿う外周面に前記第３の流出口を介して流出した冷却空気を前記流通方向前段側の前記板状部と前記流通方向前段側の前記整流面との間の前記第２の空間に導く補助整流部が設けられていることが好ましい。
本発明によれば、吐出側ダクトの外周面に第３の流出口が形成されるとともに補助整流部が設けられているので、流通方向前段側の板状部と流通方向前段側の整流面との間の第２の空間に冷却空気を確実に流通させることができ、流通方向前段側の板状部の温度を効果的に低減し光変調素子を効果的に冷却できる。
【００１２】
本発明のプロジェクタでは、前記光変調装置は、複数で構成され、前記吐出側ダクトは、前記複数の光変調装置の近傍位置に冷却空気をそれぞれ導く複数の流通部を有し、前記複数の流通部のうち少なくともいずれかの流通部は、該流通部に対応する前記光変調装置の前記光変調面に沿う方向に冷却空気を流通させた後、内部における冷却空気の流通方向と略直交する方向に冷却空気を流出して前記光変調装置に向けて送風することが好ましい。
本発明によれば、吐出側ダクトを構成する複数の流通部のうち少なくともいずれかの流通部が、該流通部に対応する光変調装置の光変調面に沿う方向に冷却空気を流通させた後、流通方向と略直交する方向に冷却空気を流出して光変調装置に向けて送風するので、光変調装置が複数で構成されている場合であっても、各光変調素子を効果的に冷却することが可能となる。特に、複数の光変調素子のうち発熱量が比較的大きい光変調素子に対応する流通部を、前記光変調素子の光変調面に沿う方向に冷却空気を流通させた後、流通方向と略直交する方向に冷却空気を流出して光変調装置に向けて送風する構成とすることが好ましい。このように構成すれば、各光変調素子のうち発熱量が比較的大きい光変調素子を効果的に冷却できる。また、発熱量の比較的小さい他の光変調素子に対応する流通部としては、上述した流通部と同様の構成を採用してもよいし、他の構成を採用してもよいので、プロジェクタの仕様に応じて設計すればよく、設計の自由度が向上する。
【００１３】
本発明のプロジェクタでは、前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、前記３つの光変調装置をそれぞれ取り付けるための３つの光束入射側端面を有し前記光変調装置を構成する各光変調素子にて変調された各光束を合成する色合成光学装置を備え、前記複数の流通部は、前記緑色光側光変調装置の近傍位置、および前記赤色光側光変調装置の近傍位置の双方に冷却空気を導く第１流通部と、前記青色光側光変調装置の近傍位置に冷却空気を導く第２流通部とで構成され、前記第１流通部は、内部を流通する冷却空気の流通方向終端側が緑色光側分岐部および赤色光側分岐部の２つに分岐され、前記緑色光側分岐部が前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、前記赤色光側分岐部が前記赤色光側光変調装置の前記光変調面と略直交する方向に冷却空気を流通させた後、内部における冷却空気の流通方向と略直交する方向に冷却空気を流出して前記赤色光側光変調装置に向けて冷却空気を送風し、前記第２流通部は、前記青色光側光変調装置の前記光変調面に沿う方向に冷却空気を流通させた後、内部における冷却空気の流通方向と略直交する方向に冷却空気を流出して前記青色光側光変調装置に向けて冷却空気を送風することが好ましい。
【００１４】
本発明は、例えば、３つの光変調装置として、緑色光側光変調装置および青色光側光変調装置の各光変調素子の発熱量が赤色光側光変調装置を構成する光変調素子の発熱量に比較して大きい場合に、各光変調素子をそれぞれ効率的に冷却するために吐出側ダクトを上述したように構成したものである。
すなわち、吐出側ダクトを構成する第２流通部は、青色光側光変調装置の光変調面に沿う方向に冷却空気を流通させた後、流通方向と略直交する方向に冷却空気を流出して青色光側光変調装置に向けて冷却空気を送風する。このため、第２流通部により、発熱量が比較的大きい青色光側光変調装置の光変調素子を上述したように効果的に冷却できる。また、第２流通部は、第１流通部と異なり、内部の冷却空気が分流されることがないので、青色光側光変調装置に送風される冷却空気の流量を十分に確保でき、青色光側光変調装置の光変調素子を効果的に冷却できる。
【００１５】
また、吐出側ダクトを構成する第１流通部の緑色光側分岐部は、緑色光側光変調装置の光変調面に沿う方向に冷却空気を流通させた後、流通方向と略直交する方向に冷却空気を流出して緑色光側光変調装置に向けて冷却空気を送風する。このため、緑色光側分岐部により、発熱量が比較的大きい緑色光側光変調装置の光変調素子を上述したように効果的に冷却できる。
【００１６】
さらに、赤色光側光変調装置の光変調素子は、青色光側光変調装置や緑色光側光変調装置の各光変調素子に対して発熱量が小さいため、第１流通部の赤色光側分岐部として、第２流通部や緑色光側分岐部による冷却空気の送風構造と異なる送風構造を採用することができる。すなわち、赤色光側分岐部として、第１流通部を流通する冷却空気の一部を分流して、赤色光側光変調装置の光変調面と略直交する方向に冷却空気を流通させた後、流通方向と略直交する方向に冷却空気を流出して赤色光側光変調装置に向けて冷却空気を送風する送風構造を採用できる。このため、赤色光側光変調装置および緑色光側光変調装置に冷却空気をそれぞれ送風する赤色光側分岐部および緑色光側分岐部を一体化でき、第１流通部をコンパクトに纏め、プロジェクタの小型化が図れる。
【００１７】
さらにまた、吐出側ダクトは、３つの光変調素子の発熱量に応じて、上述したようにそれぞれ独立した流路を有する第１流通部および第２流通部の２つで構成されるため、冷却装置を構成する冷却ファンも２つ設ければよい。このため、光変調素子が３つで構成されている場合であっても、冷却装置を構成する流通部および冷却ファンの数を減少でき、プロジェクタの小型化・軽量化が図れる。
【００１８】
本発明のプロジェクタでは、前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、前記３つの光変調装置をそれぞれ取り付けるための３つの光束入射側端面を有し前記光変調装置を構成する各光変調素子にて変調された各光束を合成する色合成光学装置を備え、前記複数の流通部は、前記緑色光側光変調装置の近傍位置に冷却空気を導く第１流通部と、前記赤色光側光変調装置の近傍位置、および前記青色光側光変調装置の近傍位置の双方に冷却空気を導く第２流通部とで構成され、前記第１流通部は、前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、前記第２流通部は、前記赤色光側光変調装置および前記青色光側光変調装置の前記光変調面と略直交する方向に冷却空気を流通させた後、内部における冷却空気の流通方向と略直交する方向に冷却空気をそれぞれ流出して前記赤色光側光変調装置および前記青色光側光変調装置に向けて冷却空気をそれぞれ送風することが好ましい。
【００１９】
本発明は、例えば、３つの光変調装置として、緑色光側光変調装置を構成する光変調素子の発熱量が青色光側光変調装置や赤色光側光変調装置を構成する各光変調素子の発熱量に比較して大きい場合に、各光変調素子をそれぞれ効率的に冷却するために吐出側ダクトを上述したように構成したものである。
すなわち、吐出側ダクトを構成する第１流通部は、緑色光側光変調装置の光変調面に沿う方向に冷却空気を流通させた後、流通方向と略直交する方向に冷却空気を流出して緑色光側光変調装置に向けて冷却空気を送風する。このため、第１流通部により、発熱量が比較的大きい緑色光側光変調装置の光変調素子を上述したように効果的に冷却できる。また、第１流通部は、第２流通部と異なり、緑色光側光変調装置にのみ冷却空気を送風するので、緑色光側光変調装置に送風される冷却空気の流量を十分に確保でき、緑色光側光変調装置の光変調素子を効果的に冷却できる。
【００２０】
また、上述したように赤色光側光変調装置や青色光側光変調装置を構成する各光変調素子は、緑色光側光変調装置を構成する光変調素子に対して発熱量が小さいため、吐出側ダクトを構成する第２流通部として、第１流通部による冷却空気の送風構造と異なる送風構造を採用することができる。例えば、赤色光側光変調装置および青色光側光変調装置が色合成光学装置の対向する各光束入射側端面に取り付けた構成を採用した場合には、第２流通部として、赤色光側光変調装置および青色光側光変調装置に平面的に跨るように配置することで、赤色光側光変調装置および青色光側光変調装置の各光変調面と略直交する方向に冷却空気を流通させた後、各光変調装置に冷却空気をそれぞれ送風できる。このように、赤色光側光変調装置および青色光側光変調装置に冷却空気をそれぞれ送風する各流通部を共通化できるので、第２流通部をコンパクトに纏め、プロジェクタの小型化が図れる。
【００２１】
さらに、吐出側ダクトは、３つの光変調素子の発熱量に応じて、上述したようにそれぞれ独立した流路を有する第１流通部および第２流通部の２つで構成されるため、冷却装置を構成する冷却ファンも２つ設ければよい。このため、光変調装置が３つで構成されている場合であっても、冷却装置を構成する流通部および冷却ファンの数を減少でき、プロジェクタの小型化・軽量化が図れる。
【００２２】
本発明のプロジェクタでは、前記複数の光変調装置は、赤の波長領域を有する赤色光に対応する赤色光側光変調装置、緑の波長領域を有する緑色光に対応する緑色光側光変調装置、および青の波長領域を有する青色光に対応する青色光側光変調装置の３つで構成され、前記３つの光変調装置をそれぞれ取り付けるための３つの光束入射側端面を有し前記光変調装置を構成する各光変調素子にて変調された各光束を合成する色合成光学装置を備え、前記複数の流通部は、前記緑色光側光変調装置の近傍位置に冷却空気を導く第１流通部と、前記赤色光側光変調装置の近傍位置、および前記青色光側光変調装置の近傍位置の双方に冷却空気を導く第２流通部とで構成され、前記第１流通部は、前記緑色光側光変調装置の前記光変調面に沿う方向に冷却空気を流通させた後、内部における冷却空気の流通方向と略直交する方向に冷却空気を流出して前記緑色光側光変調装置に向けて冷却空気を送風し、前記第２流通部は、内部を流通する冷却空気の流通方向終端側が赤色光側分岐部および青色光側分岐部の２つに分岐され、前記赤色光側分岐部が前記赤色光側光変調装置の前記光変調面と略直交する方向に冷却空気を流通させた後、内部における冷却空気の流通方向と略直交する方向に冷却空気をそれぞれ流出して前記赤色光側光変調装置に向けて冷却空気を送風し、前記青色光側分岐部が前記青色光側光変調装置の前記光変調面に沿う方向に冷却空気を流通させた後、内部における冷却空気の流通方向と略直交する方向に冷却空気を流出して前記青色光側光変調装置に向けて冷却空気を送風することが好ましい。
【００２３】
本発明は、例えば、３つの光変調装置として、緑色光側光変調装置および青色光側光変調装置を構成する各光変調素子の発熱量が赤色光側光変調装置を構成する光変調素子の発熱量に比較して大きい場合に、各光変調素子をそれぞれ効率的に冷却するために吐出側ダクトを上述したように構成したものである。
すなわち、吐出側ダクトを構成する第１流通部は、緑色光側光変調装置の光変調面に沿う方向に冷却空気を流通させた後、流通方向と略直交する方向に冷却空気を流出して緑色光側光変調装置に向けて冷却空気を送風する。このため、第１流通部により、発熱量が比較的大きい緑色光側光変調装置の光変調素子を上述したように効果的に冷却できる。また、第１流通部は、第２流通部と異なり、内部の冷却空気が分流されることがないので、緑色光側光変調装置に送風される冷却空気の流量を十分に確保でき、緑色光側光変調装置の光変調素子を効果的に冷却できる。
【００２４】
また、吐出側ダクトを構成する第２流通部の青色光側分岐部は、青色光側光変調装置の光変調面に沿う方向に冷却空気を流通させた後、流通方向と略直交する方向に冷却空気を流出して青色光側光変調装置に向けて冷却空気を送風する。このため、青色光側分岐部により、発熱量が比較的大きい青色光側光変調装置の光変調素子を上述したように効果的に冷却できる。
【００２５】
さらに、赤色光側光変調装置の光変調素子は、緑色光側光変調装置や青色光側光変調装置の各光変調素子に対して発熱量が小さいため、第２流通部の赤色光側分岐部として、第１流通部や青色光側分岐部による冷却空気の送風構造と異なる送風構造を採用することができる。すなわち、赤色光側分岐部として、第２流通部を流通する冷却空気の一部を分流して、赤色光側光変調装置の光変調面と略直交する方向に冷却空気を流通させた後、流通方向と略直交する方向に冷却空気を流出して赤色光側光変調装置に向けて冷却空気を送風する送風構造を採用できる。このため、赤色光側光変調装置および青色光側光変調装置に冷却空気をそれぞれ送風する赤色光側分岐部および青色光側分岐部を一体化でき、第２流通部をコンパクトに纏め、プロジェクタの小型化が図れる。
【００２６】
本発明のプロジェクタでは、前記青色光側分岐部は、前記青色光側光変調装置の前記光変調面と略直交する方向に冷却空気を流通させた後、冷却空気の流通方向を屈曲させ、前記光変調面に沿う方向に冷却空気を流通させ、前記青色光側分岐部における前記流通方向を屈曲させる屈曲部分が前記青色光側光変調装置を構成する前記流通方向前段側の板状部と前記流通方向前段側の整流面との間の前記第２の空間に平面的に位置するように配設され、前記屈曲部分には、前記流通方向に沿う外周面に前記青色光側分岐部内部を流通する冷却空気を前記流通方向前段側の板状部と前記流通方向前段側の整流面との間の前記第２の空間に向けて流出させる第３の流出口が形成され、前記流通方向に沿う外周面に前記第３の流出口を介して流出した冷却空気を前記流通方向前段側の板状部と前記流通方向前段側の前記整流面との間の前記第２の空間に導く補助整流部が設けられていることが好ましい。
【００２７】
本発明では、第２流通部において、赤色光側分岐部が赤色光側光変調装置の光変調面と略直交する方向に冷却空気を流通させ、青色光側分岐部が青色光側光変調装置の光変調面に沿う方向に冷却空気を流通させる構造を実現するために、青色光側分岐部として、青色光側光変調装置の光変調面と略直交する方向に冷却空気を流通させた後、冷却空気の流通方向を屈曲させて光変調面に沿う方向に冷却空気を流通させる構成としている。ここで、青色光側分岐部は、屈曲部分が青色光側光変調装置を構成する流通方向前段側の板状部と流通方向前段側の整流面との間の第２の空間に平面的に位置するように配設されている。このことにより、上述した構造を実現するための第２流通部の構造を不要に大きくすることがなく、プロジェクタの小型化が図れる。
また、青色光側分岐部を上述した形状とした場合であっても、屈曲部分の外周面に第３の流出口が形成されるとともに、補助整流部が設けられているので、青色光側光変調装置の流通方向前段側の板状部と流通方向前段側の整流面との間の第２の空間に冷却空気を確実に流通させることができ、流通方向前段側の板状部の温度を効果的に低減し青色光側光変調装置の光変調素子を効果的に冷却できる。
【発明を実施するための最良の形態】
【００２８】
[第１実施形態]
以下、本発明の第１実施形態を図面に基づいて説明する。
〔プロジェクタの構成〕
図１は、プロジェクタ１の概略構成を示す平面図である。
プロジェクタ１は、光源から射出された光束を画像情報に応じて変調して画像光を形成し、該画像光をスクリーン等の投射面上に拡大投射する光学機器である。このプロジェクタ１は、図１に示すように、略直方体状の外装筺体２と、この外装筺体２内部に収納配置される光学ユニット３と、プロジェクタ１内部の構成部材を冷却する冷却装置としての冷却ユニット７（図５、図６参照）とで大略構成される。
なお、具体的な図示は省略するが、外装筺体２内部には、光学ユニット３および冷却ユニット７の他、プロジェクタ１の構成部材に外部からの電力を供給する電源ユニット、プロジェクタ１全体を制御する制御装置等が配置されるものとする。
【００２９】
外装筺体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筺体２は、合成樹脂製に限らず、その他の材料にて形成してもよく、例えば、金属等により構成してもよい。
【００３０】
光学ユニット３は、外装筺体２内部に配置され、画像光を形成して拡大投射する。この光学ユニット３は、図１に示すように、光源装置１０、均一照明光学系２０、色分離光学系３０、リレー光学系３５、光学装置４０、および投射光学装置としての投射光学系５０を備えて構成され、これらの光学系２０〜３５を構成する光学素子、光学装置４０、および投射光学系５０は、所定の照明光軸Ａが設定された光学部品用筐体６０に位置決め調整されて設置される。
【００３１】
光源装置１０は、光源ランプ１１から放射された光束を一定方向に揃えて射出し、光学装置４０を照明するものである。この光源装置１０は、図１に示すように、光源ランプ１１、主反射鏡１２、および平行化凹レンズ１４を備えて構成されている。この光源装置１０は、ランプハウジング１０Ｂに収納配置されることで、光学部品用筐体６０に対する所定位置（光源装置１０から射出される光束の中心軸と光学部品用筐体６０内に設定された照明光軸Ａとが一致する位置）に位置決めされる。
そして、光源ランプ１１から放射された光束は、主反射鏡１２により光源装置１０の前方側に射出方向を揃えて集束光として射出され、平行化凹レンズ１４によって平行化され、均一照明光学系２０に射出される。
ここで、光源ランプ１１としては、ハロゲンランプやメタルハライドランプ、または高圧水銀ランプが多用される。また、主反射鏡１２としては、図１では、楕円面リフレクタで構成しているが、光源ランプ１１から射出された光束を略平行化して反射するパラボラリフレクタとして構成してもよい。この場合には、平行化凹レンズ１４を省略する。
【００３２】
均一照明光学系２０は、光源装置１０から射出された光束を複数の部分光束に分割し、照明領域の面内照度を均一化する光学系である。この均一照明光学系２０は、第１レンズアレイ２１、第２レンズアレイ２２、偏光変換素子２３、および重畳レンズ２４を備えている。
第１レンズアレイ２１は、光源装置１０から射出された光束を複数の部分光束に分割する光束分割光学素子としての機能を有し、照明光軸Ａと直交する面内にマトリクス状に配列される複数の小レンズを備えて構成される。
第２レンズアレイ２２は、上述した第１レンズアレイ２１により分割された複数の部分光束を集光する光学素子であり、第１レンズアレイ２１と同様に照明光軸Ａに直交する面内にマトリクス状に配列される複数の小レンズを備えた構成を有している。
【００３３】
偏光変換素子２３は、第１レンズアレイ２１により分割された各部分光束の偏光方向を略一方向の直線偏光に揃える偏光変換素子である。
この偏光変換素子２３は、図示を略したが、照明光軸Ａに対して傾斜配置される偏光分離膜および反射膜を交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射膜によって曲折され、一方の偏光光束の射出方向、すなわち、照明光軸Ａに沿った方向に射出される。射出された偏光光束のいずれかは、偏光変換素子２３の光束射出面に設けられる位相差板によって偏光変換され、略全ての偏光光束の偏光方向が揃えられる。このような偏光変換素子２３を用いることにより、光源ランプ１１から射出される光束を、略一方向の偏光光束に揃えることができるため、光学装置４０で利用する光源光の利用率を向上することができる。
【００３４】
重畳レンズ２４は、第１レンズアレイ２１、第２レンズアレイ２２、および偏光変換素子２３を経た複数の部分光束を集光して光学装置４０の後述する３つの液晶パネルの画像形成領域上で重畳させる光学素子である。
【００３５】
色分離光学系３０は、２枚のダイクロイックミラー３１，３２と、反射ミラー３３とを備え、ダイクロイックミラー３１，３２により均一照明光学系２０から射出された複数の部分光束を、赤（Ｒ）、緑（Ｇ）、青（Ｂ）の３色の色光に分離する機能を具備する。
ダイクロイックミラー３１，３２は、基板上に所定の波長領域の光束を反射し、他の波長領域の光束を透過する波長選択膜が形成された光学素子である。そして、光路後段に配置されるダイクロイックミラー３１は、青色光を反射し、その他の色光を透過するミラーである。また、光路後段に配置されるダイクロイックミラー３２は、緑色光を反射し、赤色光を透過するミラーである。
【００３６】
リレー光学系３５は、入射側レンズ３６と、リレーレンズ３８と、反射ミラー３７，３９とを備え、色分離光学系３０を構成するダイクロイックミラー３１，３２を透過した赤色光を光学装置４０まで導く機能を有している。なお、赤色光の光路にこのようなリレー光学系３５が設けられているのは、赤色光の光路の長さが他の色光の光路の長さよりも長いため、光の発散等による光の利用効率の低下を防止するためである。本実施形態においては赤色光の光路の長さが長いのでこのような構成とされているが、青色光の光路の長さを長くしてリレー光学系３５を青色光の光路に用いる構成も考えられる。
【００３７】
上述したダイクロイックミラー３１により分離された青色光は、反射ミラー３３により曲折された後、フィールドレンズ４１を介して光学装置４０に供給される。また、ダイクロイックミラー３２により分離された緑色光は、そのままフィールドレンズ４１を介して光学装置４０に供給される。さらに、赤色光は、リレー光学系３５を構成するレンズ３６，３８および反射ミラー３７，３９により集光、曲折されてフィールドレンズ４１を介して光学装置４０に供給される。なお、光学装置４０の各色光の光路前段に設けられるフィールドレンズ４１は、第２レンズアレイ２２から射出された各部分光束を、各部分光束の主光線に対して平行な光束に変換するために設けられている。
【００３８】
光学装置４０は、入射した光束を画像情報に応じて変調して画像光（カラー画像）を形成するものである。この光学装置４０は、照明対象となる３つの光変調装置４２（赤色光側光変調装置を４２Ｒ、緑色光側光変調装置を４２Ｇ、青色光側光変調装置を４２Ｂとする）と、色合成光学装置としてのクロスダイクロイックプリズム４３とを備えて構成される。なお、フィールドレンズ４１および各光変調装置４２の間には、入射側偏光板４４がそれぞれ介在配置され、各光変調装置４２およびクロスダイクロイックプリズム４３の間には、射出側偏光素子としての射出側偏光板４５がそれぞれ介在配置され、入射側偏光板４４、光変調装置４２、および射出側偏光板４５によって入射する各色光の光変調が行なわれる。そして、これらのうち、３つの光変調装置４２、３つの射出側偏光板４５、およびクロスダイクロイックプリズム４３が一体化されて、光学装置本体４０Ａ（図２ないし図４参照）を構成する。この光学装置本体４０Ａの詳細な構成については、後述する。なお、光学装置本体４０Ａにおいて、３つの光変調装置４２、３つの射出側偏光板４５、およびクロスダイクロイックプリズム４３の他、３つの入射側偏光板４４も一体化する構成を採用してもよい。
【００３９】
入射側偏光板４４は、偏光変換素子２３で偏光方向が略一方向に揃えられた各色光が入射され、入射された光束のうち、偏光変換素子２３で揃えられた光束の偏光方向と略同一方向の偏光光のみ透過させ、その他の光束を吸収するものである。この入射側偏光板４４は、例えば、サファイアガラスまたは水晶等の透光性基板上に偏光膜が貼付された構成を有している。
光変調装置４２を構成する光変調素子としての液晶パネル４２１は、一対の透明なガラス基板４２１１，４２１２に電気光学物質である液晶（図示略）が密閉封入された構成を有し（図３、図４参照）、前記制御装置からの駆動信号に応じて、前記液晶の配向状態が制御され、入射側偏光板４４から射出された偏光光束の偏光方向を変調する。
【００４０】
射出側偏光板４５は、入射側偏光板４４と同様の構成を有し、光変調装置４２から射出された光束のうち、入射側偏光板４４における光束の透過軸と直交する偏光方向を有する光束のみ透過させ、その他の光束を吸収するものである。この射出側偏光板４５は、クロスダイクロイックプリズム４３の光束入射側端面に接着剤や両面テープ等により貼り付けられる（図２ないし図４参照）。
クロスダイクロイックプリズム４３は、射出側偏光板４５から射出された色光毎に変調された変調光を合成して画像光（カラー画像）を形成する光学素子である。このクロスダイクロイックプリズム４３は、４つの直角プリズムを貼り合わせた平面視正方形状をなし、直角プリズム同士を貼り合わせた界面には、２つの誘電体多層膜が形成されている。これら誘電体多層膜は、投射光学系５０と対向する側（Ｇ色光側）に配置された射出側偏光板４５を介した色光を透過し、残り２つの射出側偏光板４５（Ｒ色光側およびＢ色光側）を介した色光を反射する。このようにして、各入射側偏光板４４、各液晶パネル４２１、および各射出側偏光板４５にて変調された各色光が合成されてカラー画像が形成される。
【００４１】
投射光学系５０は、複数のレンズを組み合わせた組レンズとして構成され、光学装置４０にて形成されたカラー画像をスクリーン（図示略）上に拡大投射する。
光学部品用筐体６０は、図１に示すように、部品収納部材６１と、図１では図示を略した蓋状部材６２（図６参照）とを備える。
部品収納部材６１は、上方側が開口し、ランプハウジング１０Ｂと接続する一端側と反対側の他端側が平面視コ字形状を有する容器状に形成され、上述した光学部品２１〜２４，３１〜３３，３６〜３９，４１，４４を内部に収納配置する。また、部品収納部材６１における他端側の平面視コ字状内側部分に後述する光学装置本体４０Ａが配置される。さらに、部品収納部材６１における他端側先端部分に投射光学系５０が接続される。
【００４２】
この部品収納部材６１において、平面視コ字状内側部分には、図１に示すように、４つの整流部材６１１が設けられている。より具体的に、４つの整流部材６１１は、図１に示すように、平面視コ字状内側部分における四隅位置（コ字状先端部分を直線で結んだ際での矩形状の四隅位置）にそれぞれ設けられ、鉛直方向（図１中、紙面に直交する方向）に延出する略四角柱形状を有する。これらの整流部材６１１における鉛直方向の高さ寸法は、部品収納部材６１の鉛直方向の高さ寸法と略同一に設定され、光学装置本体４０Ａを部品収納部材６１の平面視コ字状内側部分に配置した際に、光学装置本体４０Ａの光変調装置４２を構成する一対の板状部（第１板状部および第２板状部）の高さ寸法と略同一、若しくは若干大きく設定されている。なお、以下では、説明の便宜上、部品収納部材６１におけるコ字状先端部分に設けられた２つの整流部材６１１のうち、青色光側の整流部材を整流部材６１１Ａ、整流部材６１１Ａからコ字状に沿って時計回りに、整流部材６１１Ｂ、整流部材６１１Ｃ、整流部材６１１Ｄとする。
【００４３】
整流部材６１１Ａには、図１に示すように、光学装置本体４０Ａを部品収納部材６１の平面視コ字状内側部分に配置した際に、青色光側光変調装置４２Ｂを構成する後述する第１板状部に略平行した状態で対向する整流面６１２（６１２Ａ１）が形成されている。
整流部材６１１Ｂには、図１に示すように、光学装置本体４０Ａを部品収納部材６１の平面視コ字状内側部分に配置した際に、青色光側光変調装置４２Ｂを構成する後述する第２板状部に略平行した状態で対向する整流面６１２（６１２Ｂ１）が形成されている。また、整流部材６１１Ｂには、図１に示すように、光学装置本体４０Ａを部品収納部材６１の平面視コ字状内側部分に配置した際に、緑色光側光変調装置４２Ｇを構成する後述する第１板状部に略平行した状態で対向する整流面６１２（６１２Ｂ２）が形成されている。
【００４４】
整流部材６１１Ｃには、図１に示すように、光学装置本体４０Ａを部品収納部材６１の平面視コ字状内側部分に配置した際に、緑色光側光変調装置４２Ｇを構成する後述する第２板状部に略平行した状態で対向する整流面６１２（６１２Ｃ１）が形成されている。また、整流部材６１１Ｃには、図１に示すように、光学装置本体４０Ａを部品収納部材６１の平面視コ字状内側部分に配置した際に、赤色光側光変調装置４２Ｒを構成する後述する第１板状部に略平行した状態で対向する整流面６１２（６１２Ｃ２）が形成されている。
整流部材６１１Ｄには、図１に示すように、光学装置本体４０Ａを部品収納部材６１の平面視コ字状内側部分に配置した際に、赤色光側光変調装置４２Ｒを構成する後述する第２板状部に略平行した状態で対向する整流面６１２（６１２Ｄ１）が形成されている。
【００４５】
そして、各整流面６１２は、前記各板状部との間に所定の隙間が形成されるように設定されている。そして、光学装置本体４０Ａを部品収納部材６１の平面視コ字状内側部分に配置した状態では、図１に示すように、各整流面６１２と前記各板状部との間に空気を流通可能とする第２の空間Ａ２（図４参照）が形成される。
【００４６】
蓋状部材６２は、部品収納部材６１の上方側の開口部分を閉塞する部材であり、部品収納部材６１の平面形状に対応する形状を有している。
【００４７】
〔光学装置本体の構成〕
図２または図３は、光学装置本体４０Ａの構成を示す図である。具体的に、図２は、光学装置本体４０Ａの斜視図である。図３は、光学装置本体４０Ａの分解斜視図である。なお、図２および図３では、説明の便宜上、各光変調装置４２、および各射出側偏光板４５のうち、Ｂ色光側の光変調装置４２および射出側偏光板４５のみを図示している。その他、Ｒ色光側およびＧ色光側も、Ｂ色光側と同様の構成である。
光学装置本体４０Ａは、図２または図３に示すように、３つの光変調装置４２と、３つの射出側偏光板４５と、クロスダイクロイックプリズム４３と、３つのスペーサ４６と、台座４８とを備える。なお、図２および図３では、上述したように、Ｂ色光側の構成のみを図示しているため、３つのスペーサ４６も同様に、Ｂ色光側の１つのみを図示している。
【００４８】
〔光変調装置の構成〕
光変調装置４２は、図２または図３に示すように、液晶パネル４２１が光変調素子保持体４２２により支持固定された構成を有する。
光変調素子保持体４２２は、図３に示すように、一対の保持部材としての第１の保持部材４２２１および第２の保持部材４２２２を備え、各保持部材４２２１，４２２２により液晶パネル４２１を挟持固定する。
第１の保持部材４２２１は、図３に示すように、液晶パネル４２１の光束入射側に配置され、保持部材本体４２２１Ａと、一対の起立片４２２１Ｂとを備える。
【００４９】
保持部材本体４２２１Ａは、図２または図３に示すように、平面視矩形状の板体で構成され、略中央部分に液晶パネル４２１の光変調面（画像形成領域）に応じた開口部４２２１Ｃを有する。なお、前記光変調面は、入射する光束の光軸（照明光軸Ａ）に略直交しているものである。
この保持部材本体４２２１Ａにおいて、開口部４２２１Ｃ周縁部分には、図３に示すように、光束入射側に窪む凹部４２２１Ｄが形成されている。
この凹部４２２１Ｄは、液晶パネル４２１を構成する一対の基板４２１１，４２１２のうち、光束入射側に配置される基板４２１１（対向基板）の外形形状に対応した形状を有する。
また、この保持部材本体４２２１Ａにおいて、四隅角部分（開口部４２２１Ｃの四隅角近傍）には、各保持部材４２２１，４２２２を固定するための固定用孔４２２１Ｅがそれぞれ形成されている。
【００５０】
一対の起立片４２２１Ｂは、図３に示すように、保持部材本体４２２１Ａの水平方向に交差する互いに平行な一対の端縁に沿って設けられ、保持部材本体４２２１Ａの板面に対して略直交して光束入射側に突出する部分である。
【００５１】
第２の保持部材４２２２は、図３に示すように、液晶パネル４２１の光束射出側に配置され、第１の保持部材４２２１と略同様の形状を有し、第１の保持部材４２２１を構成する保持部材本体４２２１Ａ（開口部４２２１Ｃ、凹部４２２１Ｄ、および固定用孔４２２１Ｅを含む）と一対の起立片４２２１Ｂとに対応した、保持部材本体４２２２Ａ（開口部４２２２Ｃ、凹部４２２２Ｄ、および固定用孔４２２２Ｅを含む）と一対の起立片４２２２Ｂとを備える。
【００５２】
ここで、凹部４２２２Ｄは、開口部４２２２Ｃ周縁部分に位置し、図３に示すように、光束射出側に窪むように形成されている。そして、この凹部４２２２Ｄは、液晶パネル４２１を構成する一対の基板４２１１，４２１２のうち、光束射出側に配置される基板４２１２（駆動基板）の外形形状に対応した形状を有する。
また、一対の起立片４２２２Ｂは、図３に示すように、保持部材本体４２２２Ａの水平方向に交差する互いに平行な一対の端縁に沿って設けられ、保持部材本体４２２２Ａの板面に対して略直交して光束射出側に突出する。また、一対の起立片４２２２Ｂは、図３に示すように、一対の起立片４２２１Ｂに対して突出方向の長さ寸法が大きく設定されている。
【００５３】
そして、図２または図３に示すように、各一対の起立片４２２１Ｂ，４２２２Ｂが互いに平行した状態で各保持部材４２２１，４２２２における一対の起立片４２２１Ｂ，４２２２Ｂの突出方向とは反対側の端面の開口部４２２１Ｃ，４２２２Ｃ周縁部分にて液晶パネル４２１を挟持した状態で、４つの固定ねじ４２２３により各固定用孔４２２１Ｅ，４２２２Ｅを介して固定することで、液晶パネル４２１が各保持部材４２２１，４２２２にて挟持固定される。なお、図３では、図示を略したが、光変調装置４２を組み立てる際には、液晶パネル４２１および凹部４２２１Ｄ，４２２２Ｄの間、各保持部材本体４２２１Ａ，４２２２Ａにおける凹部４２２１Ｄ，４２２２Ｄを除く各平面部分の間に、熱伝導性を有する接着剤やギャップ材等の弾性部材４２２４（図４参照）を介在させる。このような状態では、凹部４２２１Ｄ，４２２２Ｄの底面および側面に液晶パネル４２１を構成する各基板４２１１，４２１２の光束入射側端面や光束射出側端面および側端面が弾性部材４２２４を介して熱伝達可能に接続するとともに、各保持部材本体４２２１Ａ，４２２２Ａにおける凹部４２２１Ｄ，４２２２Ｄを除く各平面部分が弾性部材４２２４を介して熱伝達可能に接続する。
【００５４】
以上説明した各保持部材４２２１，４２２２は、熱伝導性を有する金属（例えば、Ａｌ材、Ｍｇ合金、Ｎｉ合金）等の材料に板金加工を施すことにより形成されている。なお、各保持部材４２２１，４２２２は、板金加工により形成する他、熱伝導性を有する合成樹脂材料を射出成型等により形成した成型品とする構成としても構わない。
【００５５】
〔スペーサの構成〕
スペーサ４６は、光変調装置４２およびクロスダイクロイックプリズム４３の間に介在配置され、クロスダイクロイックプリズム４３の光束入射側端面に対して光変調装置４２を固定するための部材である。このスペーサ４６は、図３に示すように、スペーサ本体４６１と、一対の固定部４６２とを備える。
【００５６】
スペーサ本体４６１は、図３に示すように、平面視矩形状の板体で構成され、略中央部分に光束を通過可能とする開口部４６１１を有する。
より具体的に、スペーサ本体４６１は、図３に示すように、水平方向の長さ寸法がクロスダイクロイックプリズム４３の水平方向の長さ寸法と略同一に設定され、鉛直方向の長さ寸法がクロスダイクロイックプリズム４３の鉛直方向の長さ寸法よりも長くなるように設定されている。また、開口部４６１１は、図３に示すように、射出側偏光板４５の外形寸法よりも大きい寸法となるように設定されている。
【００５７】
一対の固定部４６２は、図３に示すように、スペーサ本体４６１の水平方向に交差する互いに平行な一対の端縁に沿って設けられ、スペーサ本体４６１の板面に対して略直交して光束入射側に突出する部分である。これら一対の固定部４６２の離間寸法は、上述した一対の起立片４２２２Ｂの離間寸法よりも小さく設定されている。
そして、スペーサ４６は、光学装置本体４０Ａが組み立てられた状態では、スペーサ本体４６１における一対の固定部４６２の突出方向とは反対側の端面がクロスダイクロイックプリズム４３の光束入射側端面に接着剤等により固定され、一対の固定部４６２の外側面に光変調装置４２を構成する第２の保持部材４２２２の一対の起立片４２２２Ｂの互いに対向する内側面が接着剤等により固定される。
【００５８】
以上説明したスペーサ４６は、熱伝導性を有する金属（例えば、Ａｌ材、Ｍｇ合金、Ｎｉ合金）等の材料に板金加工を施すことにより形成されている。なお、スペーサ４６は、板金加工により形成する他、熱伝導性を有する合成樹脂材料を射出成型等により形成した成型品とする構成としても構わない。
【００５９】
〔台座の構成〕
台座４８は、図２または図３に示すように、平面視正方形状を有する略直方体形状を有し、クロスダイクロイックプリズム４３の３つの光束入射側端面に交差する端面である下面に固定される。より具体的に、台座４８は、クロスダイクロイックプリズム４３の平面視正方形状の外形寸法と略同一の平面視正方形状の外形寸法に設定されている。すなわち、クロスダイクロイックプリズム４３の下面に台座４８を固定した場合には、クロスダイクロイックプリズム４３の側面（光束入射側端面および光束射出側端面）と、台座４８の側面とが略面一となる。
以上説明した台座４８は、クロスダイクロイックプリズム４３の材料の熱膨張係数に略等しい金属材から構成されている。より具体的に、台座４８の材料としては、熱伝導率が１８０Ｗ／ｍ・Ｋ以上で３９０Ｗ／ｍ・Ｋ以下の範囲でありかつ、熱膨張係数が４．０×１０Ｋ−６以上で１７．０×１０Ｋ−６以下である焼結合金材、例えば、Ｎｉ合金、Ｍｏ−Ｃｕ材、Ｗ−Ｃｕ材、Ｆｅ−Ｎｉ系の材料の焼結合金材等が例示できる。特に、台座４８の材料としては、Ｍｏ−Ｃｕ材が好ましい。
【００６０】
〔光学装置本体の組立方法〕
次に、上述した光学装置本体４０Ａの組立方法（製造方法）を説明する。
先ず、クロスダイクロイックプリズム４３を台座４８に対して位置調整して固定する。
具体的に、先ず、台座４８を所定位置に設置する。そして、台座４８の上面に熱硬化型接着剤または紫外線硬化型接着剤を塗布し、クロスダイクロイックプリズム４３の下面を台座４８の上面に当接させる。そして、接着剤が未硬化の状態で、台座４８に対するクロスダイクロイックプリズム４３の位置調整を実施する。この位置調整としては、例えば、クロスダイクロイックプリズム４３の上面をＣＣＤ(Charge Coupled Device)等の光学像検出装置にて検出し、検出した画像に基づいて、クロスダイクロイックプリズム４３の２つの誘電体多層膜にて形成される十字位置が所定の位置となるように位置調整する構成を採用できる。また、例えば、クロスダイクロイックプリズム４３の光束入射側端面から光束を導入し、光束射出側端面から射出される光束に基づいて、クロスダイクロイックプリズム４３を位置調整する構成を採用してもよい。位置調整後、ホットエアまたは紫外線等で接着剤を硬化して台座４８およびクロスダイクロイックプリズム４３を固定する。
【００６１】
次に、台座４８に固定されたクロスダイクロイックプリズム４３の各光束入射側端面に対して、３つの射出側偏光板４５を外形基準で所定位置に接着剤または両面テープ等によりそれぞれ固定する。
次に、クロスダイクロイックプリズム４３の各光束入射側端面に対して、３つのスペーサ４６を外形基準で所定位置に接着剤等によりそれぞれ固定する。より具体的には、各スペーサ４６を構成する各開口部４６１１に各射出側偏光板４５を挿通させつつ、各スペーサ本体４６１における一対の固定部４６２の突出方向とは反対側の端面を例えば熱伝導性を有する接着剤によりクロスダイクロイックプリズム４３の各光束入射側端面および台座４８の側面にそれぞれ固定する。すなわち、各スペーサ４６は、鉛直方向の長さ寸法がクロスダイクロイックプリズム４３および台座４８を一体化したユニットの鉛直方向の長さ寸法と略同一若しくは若干大きく設定されている。
以上のようにスペーサ４６をクロスダイクロイックプリズム４３の光束入射側端面および台座４８の側面に固定した状態では、各開口部４６１１の内壁面と各射出側偏光板４５とが所定の間隔を空けて離間し、すなわち、各スペーサ４６と各射出側偏光板４５とが熱的に絶縁された状態となっている。また、各スペーサ４６と台座４８とが熱伝達可能に接続された状態となっている。
【００６２】
次に、３つの光変調装置４２を上述したように組み立てる。
次に、光変調装置４２を構成する第２保持部材４２２２の一対の起立片４２２２Ｂの互いに対向する内側面に熱伝導性を有する熱硬化型接着剤あるいは紫外線硬化型接着剤を塗布した状態で、クロスダイクロイックプリズム４３に固定されたスペーサ４６の一対の固定部４６２の外側面に当接する。この状態では、熱硬化型接着剤あるいは紫外線硬化型接着剤の未硬化な状態での表面張力により、スペーサ４６に対して光変調装置４２が装着される。
以上のような装着を、３つのスペーサ４６に対して３つの光変調装置４２でそれぞれ実施し、クロスダイクロイックプリズム４３の各光束入射側端面に対して、３つの液晶パネル４２１が対向した状態とする。
【００６３】
そして、接着剤が未硬化の状態で、３つの液晶パネル４２１の相互の位置調整を実施する。具体的に、スペーサ４６の一対の固定部４６２の外側面に対する第２の保持部材４２２２の一対の起立片４２２２Ｂの内側面の位置を調整することで、アライメント調整およびフォーカス調整を実施する。ここで、アライメント調整とは、各液晶パネル４２１に入射する光束の光軸方向をＺ軸、これに直交する２軸をＸ，Ｙ軸とした場合、Ｘ軸方向と、Ｙ軸方向と、ＸＹ平面内の回転方向（θ方向）の調整を意味する。フォーカス調整とは、Ｚ軸方向と、Ｘ軸を中心とした回転方向（Ｘθ方向）と、Ｙ軸を中心とした回転方向（Ｙθ方向）の調整を意味する。
そしてまた、クロスダイクロイックプリズム４３に対する所定の位置に各液晶パネル４２１を位置付けた後、ホットエア、紫外線等にて接着剤を硬化させて、スペーサ４６に対して光変調装置４２を固定する。
以上のような手順により、光学装置本体４０Ａが組み立てられる。
【００６４】
図４は、光学装置本体４０Ａを光学部品用筐体６０に設置した状態を示す図である。具体的に、図４は、光学装置本体４０Ａを上方側から見た図である。なお、図４では、説明の便宜上、図２および図３と同様に、クロスダイクロイックプリズム４３のＢ色光側のみを図示している。
以上のように光学装置本体４０Ａを組み立てた後、光学部品用筐体６０に光学装置本体４０Ａを設置した状態では、図４に示すように、液晶パネル４２１の光束入射側および光束射出側にそれぞれ空気を流通可能とする第１の空間Ａ１１，Ａ１２が形成される。
具体的に、液晶パネル４２１の光束入射側には、図４に示すように、光学部品用筐体６０に設置された入射側偏光板４４、第１の保持部材４２２１を構成する保持部材本体４２２１Ａおよび一対の起立片４２２１Ｂ、液晶パネル４２１により、鉛直方向（図４中、紙面に直交する方向）に空気を流通可能とする第１の空間Ａ１１が形成される。
また、液晶パネル４２１の光束射出側には、図４に示すように、クロスダイクロイックプリズム４３の光束入射側端面、スペーサ４６の一対の固定部４６２、第２の保持部材４２２２を構成する保持部材本体４２２２Ａおよび一対の起立片４２２２Ｂ、液晶パネル４２１により、鉛直方向（図４中、紙面に直交する方向）に空気を流通可能とする第１の空間Ａ１２が形成される。
【００６５】
すなわち、各一対の起立片４２２１Ｂ，４２２２Ｂは、液晶パネル４２１に熱伝達可能に接続し、液晶パネル４２１における光変調面に平行な平面に交差し互いに対向する一対の左右側端部をそれぞれ平面的に覆い液晶パネル４２１の光束入射側および光束射出側に空気を流通可能とする第１の空間Ａ１１，Ａ１２を形成する。このため、各一対の起立片４２２１Ｂ，４２２２Ｂは、本発明における一対の板状部に相当する。なお、以下では、説明の便宜上、光変調装置４２を光束入射側から見た場合に右側に位置する各起立片４２２１Ｂ，４２２２Ｂを第１板状部４２２Ｒとし、左側に位置する各起立片４２２１Ｂ，４２２２Ｂを第２板状部４２２Ｌとする。
また、光学部品用筐体６０に光学装置本体４０Ａを設置した状態では、図４に示すように、各板状部４２２Ｒ，４２２Ｌと整流部材６１１の各整流面６１２との間に空気を流通可能とする第２の空間Ａ２が形成される。
【００６６】
〔冷却ユニットの構成〕
図５は、冷却ユニット７の概略構成を示す斜視図である。
図６は、冷却ユニット７と光学部品用筐体６０との配置関係を示す斜視図である。
具体的に、図５、図６は、プロジェクタ１の前面側から見た斜視図である。
冷却ユニット７は、プロジェクタ１外部から冷却空気を内部に導入し、プロジェクタ１内部を冷却するものである。なお、以下では、光学装置４０の液晶パネル４２１を主に冷却する冷却ユニット７の構造を説明する。その他、光源装置１０および前記電源ユニット等を冷却する冷却ユニット７の構造については説明を省略する。
この冷却ユニット７は、図５に示すように、一対の冷却ファンとしてのシロッコファン７１，７２と、一対のシロッコファン７１，７２の図示しない吐出口側に配置される吐出側ダクト７３とを備える。
【００６７】
一対のシロッコファン７１，７２は、図示しない吸入口が外装筺体２のロアーケースに沿って配設され、前記制御装置により駆動制御され、駆動することで前記ロアーケースに形成された図示しない吸気口を介してプロジェクタ１外部の冷却空気を吸入し、吸入した冷却空気を前記ロアーケースの底面に沿って後方側に吐出する。
【００６８】
なお、本実施形態では、緑色光側光変調装置４２Ｇおよび青色光側光変調装置４２Ｂの各液晶パネル４２１の発熱量が赤色光側光変調装置４２Ｒの液晶パネル４２１の発熱量に比較して大きく、各液晶パネル４２１をそれぞれ効率的に冷却するために、吐出側ダクト７３を以下の構成としたものである。
吐出側ダクト７３は、図６に示すように、光学部品用筐体６０の下方側に配置される。この吐出側ダクト７３は、シロッコファン７１から吐出された冷却空気を光学装置本体４０Ａの赤色光側および緑色光側の下方に導く第１流通部７３１と、シロッコファン７２から吐出された冷却空気を光学装置本体４０Ａの青色光側の下方に導く第２流通部７３２とを有し、第１流通部７３１および第２流通部７３２を流通した冷却空気を光学部品用筐体６０の平面視コ字状内側部分（光学装置本体４０Ａ）の下方から上方に向けて流出させる。
【００６９】
第１流通部７３１は、図５または図６に示すように、シロッコファン７１の図示しない吐出口が接続される一端側から後方側に向けて延出し、他端側が光学装置本体４０Ａの赤色光側の下方に向けて屈曲して延出する赤色光側分岐部７３１１と光学装置本体４０Ａの緑色光側の下方に向けて屈曲して延出する緑色光側分岐部７３１２との２つに分岐する。
赤色光側分岐部７３１１は、赤色光側光変調装置４２Ｒ（液晶パネル４２１）の光変調面（赤色光側において、液晶パネル４２１、入射側偏光板４４、射出側偏光板４５の対向面に平行する面）と略直交するように延出する。
この赤色光側分岐部７３１１において、内部にて冷却空気が流通する流通方向に沿う外周面である上方側端面には、赤色光側光変調装置４２Ｒの配設位置に対応する位置に、図５または図６に示すように、内部を流通する冷却空気を流通方向と略直交する上方側に向けて流出させ赤色光側光変調装置４２Ｒに冷却空気を送風する赤色光側流出口７３１１Ａが形成されている。すなわち、赤色光側分岐部７３１１は、その内部において、シロッコファン７１から吐出された冷却空気を、赤色光側光変調装置４２Ｒ（液晶パネル４２１）の光変調面と略直交する方向に流通させた後、赤色光側流出口７３１１Ａを介して上方側に向けて流出させ赤色光側光変調装置４２Ｒ（第１の空間Ａ１１，Ａ１２等）に送風する。
【００７０】
緑色光側分岐部７３１２は、緑色光側光変調装置４２Ｇ（液晶パネル４２１）の光変調面（緑色光側において、液晶パネル４２１、入射側偏光板４４、射出側偏光板４５の対向面に平行する面）に沿う方向に延出する。
この緑色光側分岐部７３１２において、内部にて冷却空気が流通する流通方向終端部分の端部は、緑色光側光変調装置４２Ｇを構成する第１板状部４２２Ｒおよび第２板状部４２２Ｌのうち前記流通方向後段側に配置される第１板状部４２２Ｒの配設位置よりも前記流通方向前段側に位置するように配置される（図８参照）。
また、この緑色光側分岐部７３１２において、内部にて冷却空気が流通する流通方向に沿う外周面である上方側端面には、緑色光側光変調装置４２Ｇの配設位置に対応する位置に、図５または図６に示すように、内部を流通する冷却空気を流通方向と略直交する上方側に向けて流出させ緑色光側光変調装置４２Ｇの第１の空間Ａ１１，Ａ１２に冷却空気を送風する第１の流出口７３１２Ａが形成されている。
【００７１】
さらに、この緑色光側分岐部７３１２において、流通方向終端部分の端部には、図５に示すように、内部を流通する冷却空気を流通方向に沿って流出させる第２の流出口７３１２Ｂが形成されている。
さらにまた、この緑色光側分岐部７３１２において、流通方向終端部分の端部には、図５または図６に示すように、第２の流出口７３１２Ｂを介して流出した冷却空気を、緑色光側光変調装置４２Ｇを構成する第１板状部４２２Ｒおよび第２板状部４２２Ｌのうち前記流通方向後段側に配置される第１板状部４２２Ｒと整流部材６１１Ｂの整流面６１２Ｂ２との間の第２の空間Ａ２に導く導風ガイド部７３１２Ｃが設けられている。この導風ガイド部７３１２Ｃは、図５または図６に示すように、箱状に形成され、緑色光側分岐部７３１２における流通方向終端部分の端部の第２の流出口７３１２Ｂの下方と側方側に接続する一端側から略水平方向に延出し、他端側が上方側に向けて屈曲する形状を有している。
【００７２】
また、この緑色光側分岐部７３１２において、上方側端面には、緑色光側光変調装置４２Ｇを構成する第１板状部４２２Ｒおよび第２板状部４２２Ｌのうち前記流通方向前段側に配置される第２板状部４２２Ｌと整流部材６１１Ｃの整流面６１２Ｃ１との間の第２の空間Ａ２に対応した位置に、図５または図６に示すように、内部を流通する冷却空気を略直交する上方側に向けて流出させる第３の流出口７３１２Ｄが形成されている。
さらに、この緑色光側分岐部７３１２において、第３の流出口７３１２Ｄの内周縁には、図５または図６に示すように、第３の流出口７３１２Ｄを介して流出した冷却空気を、緑色光側光変調装置４２Ｇを構成する第２板状部４２２Ｌと整流部材６１１Ｃの整流面６１２Ｃ１との間の第２の空間Ａ２に導く補助整流部７３１２Ｅが設けられている。この補助整流部７３１２Ｅは、図５または図６に示すように、板状に形成され、一端側が第３の流出口７３１２Ｄを介して緑色光側分岐部７３１２内部に突出し、他端側が第３の流出口７３１２Ｄを介して緑色光側分岐部７３１２外部に突出する形状を有している。
【００７３】
第２流通部７３２は、図５または図６に示すように、シロッコファン７２の図示しない吐出口が接続される一端側から後方側に向けて延出する。すなわち、第２流通部７３２は、青色光側光変調装置４２Ｂ（液晶パネル４２１）の光変調面（青色光側において、液晶パネル４２１、入射側偏光板４４、射出側偏光板４５の対向面に平行する面）に沿う方向に延出する。
この第２流通部７３２において、内部にて冷却空気が流通する流通方向終端部分の端部は、青色光側光変調装置４２Ｂを構成する第１板状部４２２Ｒおよび第２板状部４２２Ｌのうち前記流通方向後段側に配置される第２板状部４２２Ｌの配設位置よりも前記流通方向前段側に位置するように配置される（図８参照）。
また、この第２流通部７３２において、前記流通方向に沿う外周面である上方側端面には、青色光側光変調装置４２Ｂの配設位置に対応する位置に、図５または図６に示すように、内部を流通する冷却空気を流通方向と略直交する上方側に向けて流出させ青色光側光変調装置４２Ｂの第１の空間Ａ１１，Ａ１２に冷却空気を送風する第１の流出口７３２１が形成されている。
【００７４】
さらに、この第２流通部７３２において、流通方向終端部分の端部には、図５に示すように、内部を流通する冷却空気を流通方向（後方側）に沿って流出させる第２の流出口７３２２が形成されている。
さらにまた、この第２流通部７３２において、流通方向終端部分の端部には、図５または図６に示すように、第２の流出口７３２２を介して流出した冷却空気を、青色光側光変調装置４２Ｂを構成する第１板状部４２２Ｒおよび第２板状部４２２Ｌのうち前記流通方向後段側に配置される第２板状部４２２Ｌと整流部材６１１Ｂの整流面６１２Ｂ１との間の第２の空間Ａ２に導く導風ガイド部７３２３が設けられている。この導風ガイド部７３２３は、図５または図６に示すように、箱状に形成され、第２流通部７３２における流通方向終端部分の端部の第２の流出口７３２２の下方と側方側に接続する一端側から略水平方向に延出し、他端側が上方側に向けて屈曲する形状を有している。
【００７５】
また、この第２流通部７３２において、上方側端面には、青色光側光変調装置４２Ｂを構成する第１板状部４２２Ｒおよび第２板状部４２２Ｌのうち前記流通方向前段側に配置される第１板状部４２２Ｒと整流部材６１１Ａの整流面６１２Ａ１との間の第２の空間Ａ２に対応した位置に、図５または図６に示すように、内部を流通する冷却空気を略直交する上方側に向けて流出させる第３の流出口７３２４が形成されている。
さらに、この第２流通部７３２において、第３の流出口７３２４の内周縁には、図５または図６に示すように、第３の流出口７３２４を介して流出した冷却空気を、緑色光側光変調装置４２Ｇを構成する第１板状部４２２Ｒと整流部材６１１Ａの整流面６１２Ａ１との間の第２の空間Ａ２に導く補助整流部７３２５が設けられている。この補助整流部７３２５は、図５または図６に示すように、板状に形成され、一端側が第３の流出口７３２４を介して第２流通部７３２内部に突出し、他端側が第３の流出口７３２４を介して第２流通部７３２外部に突出する形状を有している。
【００７６】
〔冷却構造〕
次に、上述した冷却ユニット７による冷却構造を説明する。
なお、以下では、上述したように、光学装置４０の液晶パネル４２１を主に冷却する冷却構造を説明する。その他、光源装置１０、および前記電源ユニット等を冷却する冷却構造については説明を省略する。
前記制御装置による制御の下、シロッコファン７１，７２が駆動することで、図５に示すように、外装筺体２の図示しない吸気口を介してプロジェクタ１外部の冷却空気がシロッコファン７１，７２に吸入される。そして、シロッコファン７１，７２の図示しない吐出口から吐出された冷却空気は、図５に示すように、吐出側ダクト７３の第１流通部７３１および第２流通部７３２の一端の開口から吐出側ダクト７３内に導入される。
以下では、第１流通部７３１を構成する赤色光側分岐部７３１１を介した光学装置４０の赤色光側の冷却構造と、第１流通部７３１を構成する緑色光側分岐部７３１２を介した光学装置４０の緑色光側の冷却構造、および第２流通部７３２を介した光学装置４０の青色光側の冷却構造とを順に説明する。
【００７７】
〔赤色光側の冷却構造〕
図７は、光学装置４０の赤色光側の冷却構造を示す図である。具体的に、図７は、光学装置４０を上方側から見た図である。なお、図７では、説明の便宜上、クロスダイクロイックプリズム４３のＲ色光側のみを図示している。
シロッコファン７１により第１流通部７３１内に導入された冷却空気ＲＧは、図５に示すように、第１流通部７３１の形状にしたがって、後方側に流通した後、冷却空気ＲＧのうち一部の冷却空気Ｒが略９０°屈曲して赤色光側分岐部７３１１に分流される。
冷却空気Ｒは、図５に示すように、赤色光側分岐部７３１１の形状にしたがって、赤色光側光変調装置４２Ｒ（液晶パネル４２１）の光変調面と略直交する方向に流通した後、赤色光側流出口７３１１Ａを介して上方側に向けて流出する。
【００７８】
そして、冷却空気Ｒは、図７に示すように、赤色光側流出口７３１１Ａを介して流出した後、赤色光側光変調装置４２Ｒの第１の空間Ａ１１，Ａ１２、および第２の空間Ａ２を下方から上方に向けて略鉛直方向（図７中、紙面と略直交する方向）に流通する。そして、第１の空間Ａ１１，Ａ１２内において、冷却空気Ｒは、赤色光側光変調装置４２Ｒの第１の空間Ａ１１，Ａ１２の内周面、すなわち、入射側偏光板４４、第１の保持部材４２２１、液晶パネル４２１の一対の基板４２１１，４２１２、第２の保持部材４２２２、スペーサ４６、および射出側偏光板４５に沿って流通し、これら各部材を冷却する。また、第２の空間Ａ２内において、冷却空気Ｒは、赤色光側光変調装置４２Ｒの第１の保持部材４２２１の起立片４２２１Ｂ、第２の保持部材４２２２の起立片４２２２Ｂに沿って流通し、これら各部材を冷却する。
【００７９】
〔緑色光側および青色光側の冷却構造〕
図８は、光学装置４０の緑色光側の冷却構造および青色光側の冷却構造を模式的に示す図である。具体的に、図８は、緑色光側光変調装置４２Ｇを構成する液晶パネル４２１、および青色光側光変調装置４２Ｂの液晶パネル４２１の光変調面に沿う方向の断面を示す図である。
なお、緑色光側の冷却構造および青色光側の冷却構造は、略同一であるため、以下では、緑色光側の冷却構造のみを説明し、青色光側の冷却構造の説明を省略する。また、図８では、主に、緑色光側の構成部材の符号を付し、カッコ内に青色光側の構成部材の符号を付す。
シロッコファン７１により第１流通部７３１内に導入された冷却空気ＲＧのうち冷却空気Ｒ以外の冷却空気Ｇは、図５に示すように、第１流通部７３１の形状にしたがって、後方側に流通した後、略９０°屈曲して緑色光側分岐部７３１２に流通する。
冷却空気Ｇは、図５または図８に示すように、緑色光側分岐部７３１２の形状にしたがって、緑色光側光変調装置４２Ｇ（液晶パネル４２１）の光変調面に沿う方向に流通した後、各流出口７３１２Ａ，７３１２Ｂ，７３１２Ｄを介して外部に流出する。なお、赤色光側流出口７３１１Ａと第３の流出口７３１１Ｄとの間に仕切り部（図示略）を設けてＲ流とＧ流の分流を高めることも勿論効果的である。
【００８０】
第１の流出口７３１２Ａを介して外部に流出する冷却空気Ｇ１は、図５または図８に示すように、上方側に向けて流出する。そして、冷却空気Ｇ１は、図８に示すように、緑色光側光変調装置４２Ｇの第１の空間Ａ１１，Ａ１２を下方から上方に向けて流通する。ここで、緑色光側分岐部７３１２の流通方向終端部分の端部は、緑色光側光変調装置４２Ｇの第１板状部４２２Ｒよりも流通方向前段側に配置されている。すなわち、第１の流出口７３１２Ａの流通方向後段側の端縁は、緑色光側光変調装置４２Ｇの第１板状部４２２Ｒよりも流通方向前段側に配置されている。このため、第１の空間Ａ１１，Ａ１２内において、冷却空気Ｇ１は、図８に示すように、第１の流出口７３１２Ａを介して流出した後、緑色光側光変調装置４２Ｇの下方から緑色光側分岐部７３１２の流通方向に傾きながら上方に向けて流通する。
【００８１】
また、第２の流出口７３１２Ｂを介して外部に流出する冷却空気Ｇ２は、図５または図８に示すように、緑色光側分岐部７３１２の流通方向に沿って流出する。そして、冷却空気Ｇ２は、図８に示すように、導風ガイド部７３１２Ｃにて導かれ、緑色光側光変調装置４２Ｇを構成する第１板状部４２２Ｒと整流部材６１１Ｂの整流面６１２Ｂ２との間の第２の空間Ａ２に導入される。第２の空間Ａ２に導入された冷却空気Ｇ２は、図８に示すように、該第２の空間Ａ２を下方から上方に向けて略鉛直方向（図８中、上下方向）に流通する。
【００８２】
さらに、第３の流出口７３１２Ｄを介して外部に流出する冷却空気Ｇ３は、図５または図８に示すように、補助整流部７３１２Ｅにて導かれ、上方側に向けて流出する。また、冷却空気Ｇ３は、補助整流部７３１２Ｅにて導かれることで、緑色光側光変調装置４２Ｇを構成する第２板状部４２２Ｌと整流部材６１１Ｃの整流面６１２Ｃ１との間の第２の空間Ａ２に導入される。第２の空間Ａ２に導入された冷却空気Ｇ３は、図８に示すように、該第２の空間Ａ２を下方から上方に向けて略鉛直方向（図７中、上下方向）に流通する。
【００８３】
以上の冷却空気Ｇ１，Ｇ２，Ｇ３は、緑色光側の空間Ａ１１，Ａ１２，Ａ２内において、入射側偏光板４４、第１の保持部材４２２１、液晶パネル４２１の一対の基板４２１１，４２１２、第２の保持部材４２２２、スペーサ４６、および射出側偏光板４５に沿って流通し、これら各部材を冷却する。
【００８４】
上述した第１実施形態においては、以下の効果がある。
本実施形態では、光変調素子保持体４２２が一対の板状部４２２Ｒ，４２２Ｌを含んで構成されているので、液晶パネル４２１の光束入射側および光束射出側の双方に、第１の空間Ａ１１，Ａ１２が形成され、第１の空間Ａ１１，Ａ１２に空気を流通可能とする。また、冷却ユニット７を構成する吐出側ダクト７３は、緑色光側分岐部７３１２および第２流通部７３２を備え、緑色光側光変調装置４２Ｇおよび青色光側光変調装置４２Ｂの各液晶パネル４２１の光変調面に沿う方向にそれぞれ冷却空気Ｇ，Ｂを流通させた後、内部における冷却空気Ｇ，Ｂの流通方向と略直交する方向に冷却空気Ｇ１，Ｂ１を流出して各緑色光側光変調装置４２Ｇおよび青色光側光変調装置４２Ｂの各第１の空間Ａ１１，Ａ１２に向けてそれぞれ送風する。このため、吐出側ダクト７３から送風され各第１の空間Ａ１１，Ａ１２を流通する冷却空気Ｇ１，Ｂ１は、緑色光側光変調装置４２Ｇおよび青色光側光変調装置４２Ｂの各液晶パネル４２１の光変調面を含む平面内において、該各液晶パネル４２１の下方側の角部分から該角部分の対角位置となる上方側の角部分に向うような傾斜を持って流通することとなる。したがって、第１の空間Ａ１１，Ａ１２内において、緑色光側光変調装置４２Ｇおよび青色光側光変調装置４２Ｂの各液晶パネル４２１の光変調面全面に亘って冷却空気を送風させることができ、該各液晶パネル４２１の光束入射側および光束射出側の双方をそれぞれ均一に冷却できる。また、各液晶パネル４２１のみならず、緑色光側および青色光側の入射側偏光板４４や射出側偏光板４５も同様に均一に冷却できる。
【００８５】
また、一対の板状部４２２Ｒ，４２２Ｌを含む各保持部材４２２１，４２２２が熱伝導性材料から構成されているので、液晶パネル４２１に生じた熱を一対の板状部４２２Ｒ，４２２Ｌに伝達させることができる。
さらに、プロジェクタ１は、整流部材６１１を備えているので、一対の板状部４２２Ｒ，４２２Ｌと該整流部材６１１の各整流面６１２との間に第２の空間Ａ２が形成され、該第２の空間Ａ２に空気を流通可能とする。そして、整流部材６１１は、吐出側ダクト７３から送風された冷却空気Ｇ，Ｂのうち、第１の空間Ａ１１，Ａ１２を外れた冷却空気Ｇ２，Ｇ３，Ｂ２，Ｂ３を第２の空間Ａ２に導入させる。すなわち、一対の板状部４２２Ｒ，４２２Ｌの互いに対向する各端面に沿って第１の空間Ａ１１，Ａ１２を流通する冷却空気Ｇ１，Ｂ１が送風されるとともに、一対の板状部４２２Ｒ，４２２Ｌの前記各端面とは反対側の各端面に沿って第２の空間Ａ２を流通する冷却空気Ｇ２，Ｇ３，Ｂ２，Ｂ３が送風されることとなる。このため、一対の板状部４２２Ｒ，４２２Ｌの温度を効果的に低減し、各液晶パネル４２１〜一対の板状部４２２Ｒ，４２２Ｌの熱伝達経路での熱抵抗を小さくし、液晶パネル４２１を効果的に冷却できる。
したがって、冷却ユニット７による強制空冷に加えて液晶パネル４２１から一対の板状部４２２Ｒ，４２２Ｌへの熱伝導により、発熱量が比較的に大きい緑色光側光変調装置４２Ｇや青色光側光変調装置４２Ｂの各液晶パネル４２１を効果的に冷却し、各液晶パネル４２１の熱劣化を抑制できる。
また、強制空冷に加えて液晶パネル４２１から一対の板状部４２２Ｒ，４２２Ｌへの熱伝導により、液晶パネル４２１を効果的に冷却できるので、各シロッコファン７１，７２の回転数の低減が可能となり、プロジェクタ１の低騒音化が図れる。
【００８６】
ここで、緑色光側分岐部７３１２は、流通方向終端部分の端部位置が緑色光側光変調装置４２Ｇを構成する流通方向後段側の第１板状部４２２Ｒよりも平面視で流通方向前段側に配設されているので、平面視で第１の流出口７３１２Ａが緑色光側光変調装置４２Ｇの第１の空間Ａ１１，Ａ１２に対して流通方向前段側に配置されることとなる。このため、第１の流出口７３１２Ａを介した後に導入される第１の空間Ａ１１，Ａ１２内で、液晶パネル４２１の光変調面を含む平面内において、緑色光側分岐部７３１２内部を流通する冷却空気Ｇの流通方向と直交する方向に対して前記流通方向に傾斜を持って流通する冷却空気Ｇ１を、より効果的に緑色光側光変調装置４２Ｇの液晶パネル４２１の光変調面全面に亘って送風させることができ、該液晶パネル４２１をさらに均一に冷却できる。
なお、第２流通部７３２も緑色光側分岐部７３１２と同様の構成であり、冷却空気Ｂ１をより効果的に青色光側光変調装置４２Ｂの液晶パネル４２１の光変調面全面に亘って送風させることができ、該液晶パネル４２１をさらに均一に冷却できる。
【００８７】
また、上述したように緑色光側分岐部７３１２を配設した場合であっても、緑色光側分岐部７３１２の流通方向終端部分の端部において、第２の流出口７３１２Ｂが形成されるとともに導風ガイド部７３１２Ｃが設けられているので、緑色光側光変調装置４２Ｇを構成する流通方向後段側の第１板状部４２２Ｒと整流部材６１１Ｂの整流面６１２Ｂ２との間の第２の空間Ａ２に冷却空気Ｇ２を確実に流通させることができ、緑色光側光変調装置４２Ｇの第１板状部４２２Ｒの温度を効果的に低減し液晶パネル４２１を効果的に冷却できる。
なお、第２流通部７３２も緑色光側分岐部７３１２と同様の構成であり、第２の流出口７３２２および導風ガイド部７３２３により、青色光側光変調装置４２Ｂを構成する流通方向後段側の第２板状部４２２Ｌと整流部材６１１Ｂの整流面６１２Ｂ１との間の第２の空間Ａ２に冷却空気Ｂ２を確実に流通させることができ、青色光側光変調装置４２Ｂの第２板状部４２２Ｌの温度を効果的に低減し液晶パネル４２１を効果的に冷却できる。
【００８８】
さらに、緑色光側分岐部７３１２の上方側端面に第３の流出口７３１２Ｄが形成されるとともに補助整流板７３１２Ｅが設けられているので、緑色光側光変調装置４２Ｇの流通方向前段側の第２板状部４２２Ｌと整流部材６１１Ｃの整流面６１２Ｃ１との間の第２の空間Ａ２に冷却空気を確実に流通させることができ、緑色光側光変調装置４２Ｇの第２板状部４２２Ｌの温度を効果的に低減し液晶パネル４２１を効果的に冷却できる。
なお、第２流通部７３２も緑色光側分岐部７３１２と同様の構成であり、第３の流出口７３２４および補助整流板７３２５により、青色光側光変調装置４２Ｂを構成する流通方向前段側の第１板状部４２２Ｒと整流部材６１１Ａの整流面６１２Ａ１との間の第２の空間Ａ２に冷却空気を確実に流通させることができ、青色光側光変調装置４２Ｂの第１板状部４２２Ｒの温度を効果的に低減し液晶パネル４２１を効果的に冷却できる。
【００８９】
ここで、赤色光側光変調装置４２Ｒの液晶パネル４２１は、緑色光側光変調装置４２Ｇや青色光側光変調装置４２Ｂの各液晶パネル４２１に対して、発熱量が小さいため、第１流通部７３１の赤色光側分岐部７３１１として、緑色光側分岐部７３１２や第２流通部７３２による冷却空気の送風構造と異なる送風構造を採用することができる。すなわち、赤色光側分岐部７３１１として、第１流通部７３１を流通する冷却空気の一部を分流して、赤色光側光変調装置４２Ｒ（液晶パネル４２１）の光変調面と略直交する方向に冷却空気Ｒを流通させた後、流通方向と略直交する方向に冷却空気Ｒを流出して赤色光側光変調装置４２Ｒに向けて冷却空気Ｒを送風する送風構造を採用できる。このため、赤色光側光変調装置４２Ｒおよび緑色光側光変調装置４２Ｇに冷却空気Ｒ，Ｇ１，Ｇ２，Ｇ３をそれぞれ送風する赤色光側分岐部７３１１および緑色光側分岐部７３１２を一体化でき、第１流通部７３１をコンパクトに纏め、プロジェクタ１の小型化が図れる。
【００９０】
また、第２流通部７３２は、第１流通部７３１と異なり、内部の冷却空気Ｂが分流されることがないので、青色光側光変調装置４２Ｂに送風される冷却空気Ｂ１，Ｂ２，Ｂ３の流量を十分に確保でき、発熱量が比較的に大きい青色光側光変調装置４２Ｂの液晶パネル４２１を効果的に冷却できる。
【００９１】
さらに、吐出側ダクト７３は、３つの液晶パネル４２１の発熱量に応じて、それぞれ独立した流路を有する第１流通部７３１および第２流通部７３２の２つで構成されているため、シロッコファン７１，７２も２つ設ければよい。このため、液晶パネル４２１が３つで構成されている場合であっても、冷却ユニット７を構成する流通部および冷却ファンの数を減少でき、プロジェクタ１の小型化・軽量化が図れる。
【００９２】
ここで、各保持部材４２２１，４２２２には、凹部４２２１Ｄ，４２２２Ｄが形成されているので、液晶パネル４２１の光束入射側端面や光束射出側端面、および側端面と、凹部４２２１Ｄ，４２２２Ｄの底面および側壁とを接続することが可能となり、例えば凹部４２２１Ｄ，４２２２Ｄを形成しない構成と比較して、液晶パネル４２１と光変調素子保持体４２２との接触面積を増加させ、液晶パネル４２１から光変調素子保持体４２２への熱伝達特性を向上させることができる。
また、凹部４２２１Ｄ，４２２２Ｄを形成することで、例えば凹部４２２１Ｄ，４２２２Ｄを形成しない構成と比較して、一対の保持部材４２２１，４２２２にて液晶パネル４２１を挟持した際に、各保持部材本体４２２１Ａ，４２２２Ａにおける凹部４２２１Ｄ，４２２２Ｄを除く各平面部分の少なくとも一部を互いに当接させることができる。このため、第１の保持部材４２２１および第２の保持部材４２２２間で熱の伝達が可能となり、液晶パネル４２１の光束入射側および光束射出側をより均一に冷却できる。
【００９３】
さらに、液晶パネル４２１および凹部４２２１Ｄ，４２２２Ｄの間に弾性部材４２２４が介在配置されているので、液晶パネル４２１と光変調素子保持体４２２との接触面積を増加させ、液晶パネル４２１から光変調素子保持体４２２への熱伝達特性をより向上させることができる。同様に、各保持部材本体４２２１Ａ，４２２２Ａにおける凹部４２２１Ｄ，４２２２Ｄを除く各平面部分の間に弾性部材４２２４が介在配置されているので、各保持部材本体４２２１Ａ，４２２２Ａ間の接触面積を増加させ、第１の保持部材４２２１および第２の保持部材４２２２間で熱を円滑に伝達させることができ、液晶パネル４２１の光束入射側および光束射出側をより均一に冷却できる。
また、上述したように弾性部材４２２４を前記部材間に介在配置させることで、各保持部材４２２１，４２２２に製造誤差等が生じている場合であっても、弾性部材４２２４により前記製造誤差を吸収することができ、光変調装置４２の組み立てを円滑に実施できる。
【００９４】
さらに、光学装置本体４０Ａは、スペーサ４６を備えているので、スペーサ４６の一対の固定部４６２に対して光変調装置４２を構成する第２の保持部材４２２２の一対の起立片４２２２Ｂを固定することで、クロスダイクロイックプリズム４３に対して光変調装置４２を容易に取り付けることができ、光学装置本体４０Ａの組立性を向上できる。特に、スペーサ４６が単体で構成されているので、例えばスペーサが２体等に分割形成されている場合と比較して、部材の省略から光学装置本体４０Ａの組立性を向上できる。
また、スペーサ４６が熱伝導性材料から構成されているので、第２の保持部材４２２２の一対の起立片４２２２Ｂとスペーサ４６の一対の固定部４６２とを熱伝達可能に接続することで、液晶パネル４２１〜第２の保持部材４２２２〜スペーサ４６の熱伝達経路も確保でき、液晶パネル４２１をより効果的に冷却できる。
【００９５】
ところで、射出側偏光板４５は、所定の偏光方向を有する光束を透過し、その他の光束を吸収する吸収型の偏光板で構成されているので、吸収した光束が熱に変換され、該射出側偏光板４５の温度が上昇しやすい。また、クロスダイクロイックプリズム４３の光束入射側端面に固定される射出側偏光板４５と、クロスダイクロイックプリズム４３の光束入射側端面に固定されるスペーサ４６とが熱伝達可能に接続した場合には、射出側偏光板４５の熱が、射出側偏光板４５〜スペーサ４６〜光変調素子保持体４２２〜液晶パネル４２１の熱伝達経路を辿って液晶パネル４２１に伝達されるため、液晶パネル４２１を効果的に冷却することが難しい。
本実施形態では、スペーサ４６をクロスダイクロイックプリズム４３の光束入射側端面に固定した状態では、各開口部４６１１の内壁面と各射出側偏光板４５とが所定の間隔を空けて離間し、すなわち、各スペーサ４６と各射出側偏光板４５とが熱的に絶縁された状態となる。このため、射出側偏光板４５の熱がスペーサ４６に伝達されることがなく、すなわち、液晶パネル４２１に伝達されることがなく、液晶パネル４２１の冷却効率を良好に維持できる。
【００９６】
また、光学装置本体４０Ａは、台座４８を備え、スペーサ４６をクロスダイクロイックプリズム４３の光束入射側端面に固定した状態では、スペーサ４６が台座４８と熱伝達可能に接続するので、液晶パネル４２１〜光変調素子保持体４２２〜スペーサ４６の熱伝達経路を辿って伝達されたスペーサ４６の熱をさらに、熱容量の大きい台座４８に伝達させることができ、液晶パネル４２１から他の部材への熱伝達量を増加させ液晶パネル４２１をより一層効果的に冷却できる。また、台座４８をクロスダイクロイックプリズム４３と略同等の熱膨張係数を有する部材で構成することで、温度変化に伴う熱膨張係数の差によって発生する台座４８上のクロスダイクロイックプリズム４３の傾きを抑制できる。また、台座４８側壁とスペーサ４６との接着部へのストレスが抑えられる。この結果、各スペーサ４６に取り付けられたＲ，Ｇ，Ｂの各液晶パネル４２１間の位置ずれ抑制による画素ずれ防止に有効となる。加えて、液晶パネル４２１の発熱をスペーサ４６を介して熱伝導率の高い部材からなる台座４８に伝達できるので、一層冷却性能が高められる。
【００９７】
さらに、第２の保持部材４２２２における一対の起立片４２２２Ｂやスペーサ４６における一対の固定部４６２により、クロスダイクロイックプリズム４３の光束入射側端面に入射するような迷光を遮光でき、光学装置４０にて形成される画像光を良好に維持できる。
【００９８】
そして、上述したように光変調装置４２の熱劣化を抑制できるので、プロジェクタ１の長寿命化が図れる。また、長期間、プロジェクタ１を使用した場合であっても、鮮明な投影画像を維持できる。
【００９９】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図９は、第２実施形態における冷却装置としての冷却ユニット８の概略構成を示す斜視図である。
本実施形態は、前記第１実施形態に対して、図９に示すように、冷却ユニット８の構造が異なるのみである。その他の構成は、前記第１実施形態と同様のものである。
【０１００】
冷却ユニット８は、図９に示すように、前記第１実施形態で説明した一対のシロッコファン７１，７２の他、一対のシロッコファン７１，７２の図示しない吐出口側に配置される吐出側ダクト８３を備える。
【０１０１】
なお、本実施形態では、緑色光側光変調装置４２Ｇの液晶パネル４２１の発熱量が青色光側光変調装置４２Ｂや赤色光側光変調装置４２Ｒの各液晶パネル４２１の発熱量に比較して大きく、各液晶パネル４２１をそれぞれ効率的に冷却するために、吐出側ダクト８３を以下の構成としたものである。
吐出側ダクト８３は、前記第１実施形態で説明した吐出側ダクト７３と同様に光学部品用筐体６０の下方側に配置され、図９に示すように、シロッコファン７１から吐出された冷却空気を光学装置本体４０Ａの緑色光側の下方に導く第１流通部８３１と、シロッコファン７２から吐出された冷却空気を光学装置本体４０Ａの赤色光側および青色光側の下方に導く第２流通部８３２とを有し、第１流通部８３１および第２流通部８３２を流通した冷却空気を光学部品用筐体６０の平面視コ字状内側部分（光学装置本体４０Ａ）の下方から上方に向けて流出させる。
【０１０２】
第１流通部８３１は、図９に示すように、シロッコファン７１の図示しない吐出口が接続される一端側から後方側に向けて延出し、他端側が略９０°屈曲して光学装置本体４０Ａの緑色光側の下方に向けて延出する。すなわち、第１流通部８３１の他端側は、緑色光側光変調装置４２Ｇ（液晶パネル４２１）の光変調面に沿う方向に延出する。
そして、第１流通部８３１の他端側は、前記第１実施形態で説明した緑色光側分岐部７３１２と略同様であり、異なる点は、延出方向（冷却空気の流通方向）が逆であることである（緑色光側分岐部７３１２は、図５中、右側から左側に向かう延出方向であるのに対して、第１流通部８３１の他端側は、図９中、左側から右側に向う延出方向である）。すなわち、第１流通部８３１は、図９に示すように、前記第１実施形態で説明した緑色光側分岐部７３１２の第１の流出口７３１２Ａ、第２の流出口７３１２Ｂ、導風ガイド部７３１２Ｃ、第３の流出口７３１２Ｄ、および補助整流部７３１２Ｅと同様の、第１の流出口８３１１、第２の流出口８３１２、導風ガイド部８３１３、第３の流出口８３１４、および補助整流部８３１５を有する。
【０１０３】
第２流通部８３２は、図９に示すように、シロッコファン７２の図示しない吐出口が接続される一端側から後方側に向けて延出し、他端側が略９０°屈曲して光学装置本体４０Ａの赤色光側および青色光側の下方に向けて延出する。
この第２流通部８３２において、内部にて冷却空気が流通する流通方向に沿う外周面である上方側端面には、赤色光側光変調装置４２Ｒの配設位置に対応する位置に、図９に示すように、内部を流通する冷却空気の一部を流通方向と略直交する上方側に向けて流出させ赤色光側光変調装置４２Ｒに冷却空気を送風する赤色光側流出口８３２１が形成されている。すなわち、第２流通部８３２は、その内部において、シロッコファン７２から吐出された冷却空気を、赤色光側光変調装置４２Ｒ（液晶パネル４２１）の光変調面と略直交する方向に流通させた後、該冷却空気の一部を赤色光側流出口８３２１を介して上方側に向けて流出させ赤色光側光変調装置４２Ｒ（第１の空間Ａ１１，Ａ１２等）に送風する。
【０１０４】
また、この第２流通部８３２において、上方側端面には、青色光側光変調装置４２Ｂの配設位置に対応する位置に、図９に示すように、内部を流通する冷却空気を流通方向と略直交する上方側に向けて流出させ青色光側光変調装置４２Ｂに冷却空気を送風する青色光側流出口８３２２が形成されている。すなわち、第２流通部８３２は、その内部において、シロッコファン７２から吐出された冷却空気を、青色光側光変調装置４２Ｂを構成する液晶パネル４２１の光変調面と略直交する方向に流通させた後、該冷却空気を青色光側流出口８３２２を介して上方側に向けて流出させ青色光側光変調装置４２Ｂ（第１の空間Ａ１１，Ａ１２等）に送風する。
【０１０５】
なお、本実施形態における冷却ユニット８による冷却構造は、前記第１実施形態で説明した冷却構造と同様である。より具体的に、第１流通部８３１を介した光学装置４０の緑色光側の冷却構造は、前記第１実施形態で説明した第１流通部７３１を構成する緑色光側分岐部７３１２を介した光学装置４０の緑色光側の冷却構造と同様である。また、第２流通部８３２を介した光学装置４０の赤色光側および青色光側の冷却構造は、前記第１実施形態で説明した第１流通部７３１を構成する赤色光側分岐部７３１１を介した光学装置４０の赤色光側の冷却構造と同様である。このため、本実施形態における冷却ユニット８による冷却構造については、説明を省略する。
【０１０６】
上述した第２実施形態においては、前記第１実施形態と同様の効果の他、以下の効果がある。
本実施形態では、吐出側ダクト８３を構成する第１流通部８３１は、前記第１実施形態で説明した緑色光側分岐部７３１２と同様の構成であり、緑色光側分岐部７３１２と同様に発熱量が比較的に大きい緑色光側光変調装置４２Ｇの液晶パネル４２１を効果的に冷却できる。また、第１流通部８３１は、第２流通部８３２と異なり、緑色光側光変調装置４２Ｇのみに冷却空気を送風するので、緑色光側光変調装置４２Ｇに送風される冷却空気の流量を十分に確保でき、発熱量が比較的に大きい緑色光側光変調装置４２Ｇの液晶パネル４２１をより効果的に冷却できる。
【０１０７】
また、本実施形態では、赤色光側光変調装置４２Ｒや青色光側光変調装置４２Ｂの各液晶パネル４２１は、緑色光側光変調装置４２Ｇの液晶パネル４２１に対して発熱量が小さいため、吐出側ダクト８３を構成する第２流通部８３２として、第１流通部８３１による冷却空気の送風構造と異なる送風構造を採用することができる。また、赤色光側光変調装置４２Ｒおよび青色光側光変調装置４２Ｂは、クロスダイクロイックプリズム４３の対向する各光束入射側端面に取り付けられている。このため、第２流通部８３２として、赤色光側光変調装置４２Ｒおよび青色光側光変調装置４２Ｂを平面的に跨るように配置して、赤色光側光変調装置４２Ｒおよび青色光側光変調装置４２Ｂ（各液晶パネル４２１）の光変調面と略直交する方向に冷却空気を流通させた後、各光変調装置４２Ｒ，４２Ｂに冷却空気をそれぞれ送風できる。このように、赤色光側光変調装置４２Ｒおよび青色光側光変調装置４２Ｂに冷却空気をそれぞれ送風する各流通部を共通化できるので、第２流通部８３２をコンパクトに纏め、プロジェクタ１の小型化が図れる。
【０１０８】
[第３実施形態]
次に、本発明の第３実施形態を図面に基づいて説明する。
以下の説明では、前記第１実施形態および前記第２実施形態と同様の構造および同一部材には同一符号を付して、その詳細な説明は省略または簡略化する。
図１０は、第３実施形態における冷却装置としての冷却ユニット９の概略構成を示す斜視図である。
本実施形態は、前記第１実施形態に対して、図１０に示すように、冷却ユニット９の構造が異なるのみである。その他の構成は、前記第１実施形態と同様のものである。
【０１０９】
冷却ユニット９は、図１０に示すように、前記第１実施形態および前記第２実施形態で説明した一対のシロッコファン７１，７２の他、一対のシロッコファン７１，７２の図示しない吐出口側に配置される吐出側ダクト９３を備える。
【０１１０】
なお、本実施形態では、緑色光側光変調装置４２Ｇおよび青色光側光変調装置４２Ｂの各液晶パネル４２１の発熱量が赤色光側光変調装置４２Ｒの液晶パネル４２１の発熱量に比較して大きく、各液晶パネル４２１をそれぞれ効率的に冷却するために、吐出側ダクト９３を以下の構成としたものである。
吐出側ダクト９３は、前記第１実施形態で説明した吐出側ダクト７３と同様に光学部品用筐体６０の下方側に配置され、図１０に示すように、前記第２実施形態で説明した第１流通部８３１の他、シロッコファン７２から吐出された冷却空気を光学装置本体４０Ａの赤色光側および青色光側の下方に導く第２流通部９３２とを有し、第１流通部８３１および第２流通部９３２を流通した冷却空気を光学部品用筐体６０の平面視コ字状内側部分（光学装置本体４０Ａ）の下方から上方に向けて流出させる。
【０１１１】
第２流通部９３２は、図１０に示すように、シロッコファン７２の図示しない吐出口が接続される一端側から後方側に向けて延出し、他端側が光学装置本体４０Ａの青色光側の下方に向けて屈曲して延出する青色光側分岐部９３２１と光学装置本体４０Ａの赤色光側の下方に向けて屈曲して延出する赤色光側分岐部９３２２との２つに分岐する。
青色光側分岐部９３２１は、図１０に示すように、略水平方向に延出し、延出方向先端部分が略９０°屈曲して後方側に向って光学装置本体４０Ａの青色光側の下方まで延出する。すなわち、青色光側分岐部９３２１は、青色光側光変調装置４２Ｂ（液晶パネル４２１）の光変調面と略直交する方向に延出した後、青色光側光変調装置４２Ｂ（液晶パネル４２１）の光変調面に沿う方向に延出する。
【０１１２】
そして、青色光側分岐部９３２１の延出方向先端部分は、前記第１実施形態で説明した第２流通部７３２と略同様であり、図１０に示すように、第２流通部７３２の第１の流出口７３２１、第２の流出口７３２２、および導風ガイド部７３２３と同様の、第１の流出口９３２１Ａ、第２の流出口９３２１Ｂ、および導風ガイド部９３２１Ｃを有する。
【０１１３】
図１１は、青色光側分岐部９３２１の屈曲部分９３２１Ｄの配置位置および構造を模式的に示す図である。具体的に、図１１は、青色光側光変調装置４２Ｂを構成する液晶パネル４２１の光変調面に沿う方向の断面を示す図である。
この青色光側分岐部９３２１において、屈曲部分９３２１Ｄ（図１０）は、図１１に示すように、青色光側光変調装置４２Ｂを構成する第１板状部４２２Ｒおよび第２板状部４２２Ｌのうち青色光側分岐部９３２１内部にて冷却空気が流通する流通方向前段側に配置される第１板状部４２２Ｒと整流部材６１１Ａの整流面６１２Ａ１との間の第２の空間Ａ２に対応した位置となるように設定されている。
そして、屈曲部分９３２１Ｄには、図１０に示すように、流通方向に沿う外周面である上方側端面に、内部を流通する冷却空気を略直交する上方側に向けて流出させる第３の流出口９３２１Ｅが形成されている。
また、第３の流出口９３２１Ｅの内周縁には、図１０または図１１に示すように、第３の流出口９３２１Ｅを介して流出した冷却空気を、青色光側光変調装置４２Ｂを構成する第１板状部４２２Ｒと整流面６１２Ａ１との間の第２の空間Ａ２に導く補助整流部９３２１Ｆが設けられている。この補助整流部９３２１Ｆは、図１０または図１１に示すように、板状に形成され、第３の流出口９３２１Ｅにおける青色光側分岐部９３２１の水平な延出方向の先端側端縁から上方側に向けて突出する形状を有し、板面が前記延出方向と略直交するように設けられている。そして、第３の流出口９３２１Ｅを介して流出した冷却空気は、補助整流部９３２１Ｆにより下方から上方に向けて略鉛直方向（図１１中、上下方向）に整流され、青色光側光変調装置４２Ｂを構成する第１板状部４２２Ｒと整流面６１２Ａ１との間の第２の空間Ａ２に導入される。
【０１１４】
赤色光側分岐部９３２２は、図１０に示すように、前記第１実施形態で説明した赤色光側分岐部７３１１の形状と同様であり、赤色光側分岐部７３１１の赤色光側流出口７３１１Ａと同様の、赤色光側流出口９３２２Ａを有する。
【０１１５】
なお、本実施形態における冷却ユニット９による冷却構造は、前記第１実施形態で説明した冷却構造と同様である。より具体的に、第１流通部８３１を介した光学装置４０の緑色光側の冷却構造、および第２流通部９３２を構成する青色光側分岐部９３２１を介した光学装置４０の青色光側の冷却構造は、前記第１実施形態で説明した第１流通部７３１を構成する緑色光側分岐部７３１２を介した光学装置４０の緑色光側の冷却構造と同様である。また、第２流通部９３２を構成する赤色光側分岐部９３２２を介した光学装置４０の赤色光側の冷却構造は、前記第１実施形態で説明した第１流通部７３１を構成する赤色光側分岐部７３１１を介した光学装置４０の赤色光側の冷却構造と同様である。このため、本実施形態における冷却ユニット９による冷却構造については、説明を省略する。
【０１１６】
上述した第３実施形態においては、前記第１実施形態と同様の効果の他、以下の効果がある。
本実施形態では、吐出側ダクト９３を構成する第１流通部８３１は、前記第１実施形態で説明した緑色光側分岐部７３１２と同様の構成であり、緑色光側分岐部７３１２と同様に発熱量が比較的に大きい緑色光側光変調装置４２Ｇの液晶パネル４２１を効果的に冷却できる。また、第１流通部８３１は、第２流通部９３２と異なり、内部の冷却空気が分流されることがないので、緑色光側光変調装置４２Ｇに送風される冷却空気の流量を十分に確保でき、発熱量が比較的に大きい緑色光側光変調装置４２Ｇの液晶パネル４２１をより効果的に冷却できる。
【０１１７】
また、吐出側ダクト９３を構成する第２流通部９３２の青色光側分岐部９３２１は、第１流通部８３１と同様の構成であり、発熱量が比較的に大きい青色光側光変調装置４２Ｂの液晶パネル４２１を効果的に冷却できる。
【０１１８】
本実施形態では、赤色光側光変調装置４２Ｒの液晶パネル４２１は、緑色光側光変調装置４２Ｇや青色光側光変調装置４２Ｂの各液晶パネル４２１に対して、発熱量が小さいため、第２流通部９３２の赤色光側分岐部９３２２として、第１流通部８３１や青色光側分岐部９３２１による冷却空気の送風構造と異なる送風構造を採用することができる。すなわち、赤色光側分岐部９３２２として、第２流通部９３２を流通する冷却空気の一部を分流して、赤色光側光変調装置４２Ｒ（液晶パネル４２１）の光変調面と略直交する方向に冷却空気を流通させた後、流通方向と略直交する方向に冷却空気を流出して赤色光側光変調装置４２Ｒに向けて冷却空気を送風する送風構造を採用できる。このため、赤色光側光変調装置４２Ｒおよび青色光側光変調装置４２Ｂの各液晶パネル４２１に冷却空気をそれぞれ送風する赤色光側分岐部９３２２および青色光側分岐部９３２１を一体化でき、第２流通部９３２をコンパクトに纏め、プロジェクタ１の小型化が図れる。
【０１１９】
また、第２流通部９３２において、赤色光側分岐部９３２２が赤色光側光変調装置４２Ｒ（液晶パネル４２１）の光変調面と略直交する方向に冷却空気を流通させ、青色光側分岐部９３２１が青色光側光変調装置４２Ｂ（液晶パネル４２１）の光変調面に沿う方向に冷却空気を流通させる構造を実現するために、青色光側分岐部９３２１として、青色光側光変調装置４２Ｂ（液晶パネル４２１）の光変調面と略直交する方向に冷却空気を流通させた後、冷却空気の流通方向を屈曲させて光変調面に沿う方向に冷却空気を流通させる構成としている。ここで、青色光側分岐部９３２１は、屈曲部分９３２１Ｄが青色光側光変調装置４２Ｂを構成する流通方向前段側の第１板状部４２２Ｒと整流部材６１１Ａの整流面６１２Ａ１との間の第２の空間Ａ２に対応した位置となるように設定されている。このことにより、上述した構造を実現するための第２流通部９３２の構造を不要に大きくすることがなく、プロジェクタ１の小型化が図れる。
【０１２０】
さらに、青色光側分岐部９３２１を上述した形状とした場合であっても、屈曲部分９３２１Ｄの上方側端面に第３の流出口９３２１Ｅが形成されるとともに、補助整流部９３２１Ｆが設けられているので、青色光側光変調装置４２Ｂの流通方向前段側の第１板状部４２２Ｒと整流部材６１１Ａの整流面６１２Ａ１との間の第２の空間Ａ２に冷却空気を確実に流通させることができ、青色光側光変調装置４２Ｂを構成する第１板状部４２２Ｒの温度を効果的に低減し青色光側光変調装置４２Ｂの液晶パネル４２１を効果的に冷却できる。
【０１２１】
[第４実施形態]
次に、本発明の第４実施形態を図面に基づいて説明する。
以下の説明では、前記第１実施形態と同様の構造および同一部材には同一符号を付して、その詳細な説明は省略または簡略化する。
図１２ないし図１４は、第４実施形態における光学装置本体５０Ａの構成を示す図である。具体的に、図１２は、光学装置本体５０Ａの斜視図である。図１３は、光学装置本体５０Ａの分解斜視図である。図１４は、光学装置本体５０Ａを光学部品用筐体６０に設置した状態を示す図である。なお、図１２ないし図１４では、説明の便宜上、クロスダイクロイックプリズム４３のＢ色光側のみを図示しているが、Ｒ色光側およびＧ色光側も同様である。
本実施形態では、前記第１実施形態に対して、図１２ないし図１４に示すように、光学装置本体５０Ａにおいて、スペーサ５６の形状を変更した点、およびスペーサ５６の形状の変更に伴って光変調素子保持体５２２の形状を変更した点が異なるのみであり、その他の構成は前記第１実施形態と同様である。
【０１２２】
光変調素子保持体５２２は、前記第１実施形態で説明した光変調素子保持体４２２と略同様の構成および形状を有し、異なる点は、各保持部材４２２１，４２２２を構成する保持部材本体４２２１Ａ，４２２２Ａにおいて、図１２ないし図１４に示すように、四隅角部分、すなわち、固定用孔４２２１Ｅ，４２２２Ｅ近傍に、ピン挿通孔としてのバーリング孔４２２１Ｆ，４２２２Ｆを設けた点が異なるのみである。その他の構成は、光変調素子保持体４２２と同様である。
より具体的に、第１の保持部材４２２１を構成する保持部材本体４２２１Ａには、図１３に示すように、光束入射側に突出するように４つのバーリング孔４２２１Ｆが形成されている。
また、第２の保持部材４２２２を構成する保持部材本体４２２２Ａには、図１３に示すように、バーリング孔４２２１Ｆに対応する位置に、光束射出側に突出するように４つのバーリング孔４２２２Ｆが形成されている。
以上説明した光変調素子保持体５２２としては、前記第１実施形態で説明した光変調素子保持体４２２と同様の材料を採用できる。
【０１２３】
スペーサ５６は、前記第１実施形態で説明したスペーサ４６と同様に、光変調装置４２およびクロスダイクロイックプリズム４３の間に介在配置され、クロスダイクロイックプリズム４３の光束入射側端面に対して光変調装置４２を固定するための部材である。このスペーサ５６は、図１３または図１４に示すように、スペーサ本体５６１と、４つのピン状部５６２とを備える。
【０１２４】
スペーサ本体５６１は、前記第１実施形態で説明したスペーサ本体４６１と同様の形状である。すなわち、スペーサ本体５６１は、前記第１実施形態で説明したスペーサ本体４６１の開口部４６１１と同様の、開口部５６１１を有する。
４つのピン状部５６２は、光変調装置４２を構成する光変調素子保持体５２２の各４つのバーリング孔４２２１Ｆ，４２２２Ｆに対応する位置に形成され、スペーサ本体５６１の板面から略直交して光束射出側に突出する部分である。
以上説明したスペーサ５６としては、前記第１実施形態で説明したスペーサ４６と同様の材料を採用できる。
【０１２５】
次に、上述した光学装置本体５０Ａの組立方法（製造方法）を説明する。なお、光学装置本体５０Ａの組立方法は、前記第１実施形態で説明した光学装置本体４０Ａの組立方法と略同様であり、以下では、簡略化して説明する。
本実施形態における光学装置本体５０Ａの組立方法は、前記第１実施形態で説明した光学装置本体４０Ａの組立方法に対して、スペーサ５６の設置方法、スペーサ５６に対する光変調装置４２の設置方法、および各液晶パネル４２１の相互の位置調整方法が異なるのみである。
【０１２６】
スペーサ５６の設置方法は、以下の通りである。
すなわち、スペーサ本体５６１におけるピン状部５６２が形成されていない端面に熱硬化型接着剤あるいは紫外線硬化型接着剤を塗布し、前記端面をクロスダイクロイックプリズム４３の各光束入射側端面および台座４８の側面に当接する。この状態では、熱硬化型接着剤あるいは紫外線硬化型接着剤の未硬化な状態での表面張力により、クロスダイクロイックプリズム４３および台座４８に対してスペーサ５６が装着される。
以上のような装着を、クロスダイクロイックプリズム４３の各光束入射側端面に対して３つのスペーサ５６でそれぞれ実施する。
【０１２７】
スペーサ５６に対する光変調装置４２の設置方法は、以下の通りである。
すなわち、スペーサ５６を構成する各ピン状部５６２の外周面に熱硬化型接着剤あるいは紫外線硬化型接着剤を塗布した状態で、光変調装置４２を構成する光変調素子保持体５２２の各バーリング孔４２２１Ｆ，４２２２Ｆを挿通し、スペーサ５６に対して光変調装置４２を設置する。
以上のような設置を、３つのスペーサ５６に対して３つの光変調装置４２でそれぞれ実施し、クロスダイクロイックプリズム４３の各光束入射側端面に対して、３つの液晶パネル４２１が対向した状態とする。
【０１２８】
各液晶パネル４２１の相互の位置調整方法は、以下の通りである。
すなわち、スペーサ本体５６１の端面とクロスダイクロイックプリズム４３の光束入射側端面および台座４８の側面を摺動面としてアライメント調整を実施し、各ピン状部５６２の外周面と各バーリング孔４２２１Ｆ，４２２２Ｆの内周面を摺動面としてフォーカス調整を実施する。
そして、クロスダイクロイックプリズム４３に対する所定の位置に各液晶パネル４２１を位置付けた後、ホットエア、紫外線等にて接着剤を硬化させて、クロスダイクロイックプリズム４３および台座４８に対してスペーサ５６を固定するとともに、スペーサ５６に対して光変調装置４２を固定する。
なお、事前にクロスダイクロイックプリズム４３に接着固定されたスペーサ５６によって位置の定まった各ピン状部５６２に対して、各バーリング孔４２２１Ｆ，４２２２Ｆとのガタを利用してアライメント調整をする方法でも勿論可能である。
【０１２９】
以上のように組み立てた光学装置本体５０Ａを光学部品用筐体６０に設置した状態では、前記第１実施形態と同様に、図１４に示すように、液晶パネル４２１の光束入射側に第１の空間Ａ１１が形成され、液晶パネル４２１の光束射出側に第１の空間Ａ１２が形成される。また、図１４に示すように、各整流面６１２（６１２Ａ１，６１２Ｂ１，６１２Ｂ２，６１２Ｃ１，６１２Ｃ２，６１２Ｄ１）と各板状部４２２Ｒ，４２２Ｌとの間に空気を流通可能とする第２の空間Ａ２がそれぞれ形成される。
なお、冷却ユニット７による冷却構造については、前記第１実施形態の冷却構造と同様であり、説明を省略する。
【０１３０】
上述した第４実施形態においては、前記第１実施形態と同様の効果の他、以下の効果がある。
本実施形態では、光変調装置４２の各バーリング孔４２２１Ｆ，４２２２Ｆにスペーサ５６の各ピン状部５６２を挿通し、スペーサ５６のスペーサ本体５６１の光束射出側端面をクロスダイクロイックプリズム４３の光束入射側端面に固定することで、クロスダイクロイックプリズム４３に対して光変調装置４２を容易に取り付けることができ、光学装置本体５０Ａの組立性を向上できる。特に、ピン状部５６２およびスペーサ本体５６１が一体化されているので、例えばスペーサ本体５６１を省略しピン状部５６２のみで構成した場合と比較して、光学装置本体５０Ａの組立性を向上できるとともに、スペーサ５６によりクロスダイクロイックプリズム４３に対する光変調装置４２の位置を良好に維持でき、長期間、使用した場合であっても画素ずれのない良好な画像光を形成できる。
【０１３１】
また、ピン挿通孔がバーリング孔４２２１Ｆ，４２２２Ｆで構成されているので、例えばピン挿通孔をバーリング孔ではなく単なる孔で構成した場合と比較して、ピン状部５６２とバーリング孔４２２１Ｆ，４２２２Ｆとの接着面積を十分に確保でき、スペーサ４６によりクロスダイクロイックプリズム４３に対する光変調装置４２の位置を良好に維持できる。なお、バーリング孔は、保持部材４２２１，４２２２のどちらか一方に設けるだけでもよい。
【０１３２】
なお、本発明は前述の実施形態に限定されるものではなく、本発明の目的を達成できる範囲での変形、改良等は本発明に含まれるものである。
前記各実施形態では、緑色光側光変調装置４２Ｇや青色光側光変調装置４２Ｂの各液晶パネル４２１のうち少なくともいずれかの液晶パネル４２１の光変調面に沿う方向に冷却空気を流通させた後、前記流通方向と略直交する方向に冷却空気を流出させ緑色光側光変調装置４２Ｇや青色光側光変調装置４２Ｂに送風する冷却構造を採用していたが、これに限らない。光学装置４０の赤色光側、緑色光側、および青色光側のうち、少なくともいずれかの色光側に前記冷却構造を採用すればよい。この際、光学装置４０の各色光側のうち、発熱量が比較的に大きくなる色光側に前記冷却構造を採用することが好ましい。このように構成すれば、光学装置４０の各色光側のうち、発熱量が比較的に大きくなる色光側を除く他の色光側における冷却構造の設計の自由度が向上する。
【０１３３】
前記各実施形態では、吐出側ダクト７３，８３，９３は、それぞれ独立した流路を有する第１流通部７３１，８３１および第２流通部７３２，８３２，９３２の２つで構成されていたが、これに限らない。例えば、流通部を、光変調装置４２の数（前記各実施形態では３つ）に対応した数（前記各実施形態では３つ）だけ設ける構成を採用してもよい。また、例えば、内部を流通する冷却空気を光変調装置４２毎に分流して各光変調装置４２に送風する構成、すなわち、流通部を１つだけ設ける構成を採用してもよい。この際、分流された各冷却空気のうち、発熱量の比較的に大きい液晶パネル４２１に対して送風される冷却空気が、前記冷却構造を有するように構成すればよい。
また、冷却ファンも同様に、前記第１実施形態で説明した２つに限らず、流通部の数に応じて設ければよい。
前記実施形態では、冷却ファンとしてシロッコファン７１，７２を採用していたが、冷却空気の吸入方向と吐出方向とが略同一軸上に形成される軸流ファンを採用してもよい。
【０１３４】
前記第１実施形態では、赤色光側の冷却構造として、図７に示すように、赤色光側光変調装置４２Ｒの第１の空間Ａ１１，Ａ１２にのみ冷却空気Ｒを流通させる構造としたが、これに限らず、他の青、緑色光側の冷却構造と同様に、第２の空間Ａ２にも冷却空気Ｒを流通させる構造としても構わない。なお、前記第１実施形態における赤色光側の冷却構造と同様の冷却構造を有する他の実施形態での冷却構造も同様である。
【０１３５】
前記各実施形態では、一対の板状部４２２Ｒ，４２２Ｌの構成として、各起立片４２２１Ｂ，４２２２Ｂで構成したが、これに限らない。一対の板状部としては、液晶パネル４２１に熱伝達可能に接続し、液晶パネル４２１における光変調面に平行な平面に交差し互いに対向する一対の側端部をそれぞれ平面的に覆い液晶パネル４２１の光束入射側および光束射出側の少なくともいずれか一方側に空気を流通可能とする空間を形成する構成であれば、いずれの構成でも構わない。
【０１３６】
前記第４実施形態では、前記第１実施形態に光学装置本体５０Ａを採用していたが、これに限らず、前記第２実施形態または前記第３実施形態の光学装置本体５０Ａを採用する構成としても構わない。
【０１３７】
前記各実施形態では、凹部４２２１Ｄ，４２２２Ｄは、第１の保持部材４２２１，４２２２の双方に形成されていたが、これに限らず、第１の保持部材４２２１のみに形成してもよく、あるいは、第２の保持部材４２２２のみに形成してもよい。第１の保持部材４２２１のみに形成する場合には、凹部４２２１Ｄの深さ寸法をより大きくし、一対の保持部材４２２１，４２２２にて液晶パネル４２１を挟持した際に、保持部材本体４２２１Ａ，４２２２Ａ間の少なくとも一部が当接するように設定する。第２の保持部材４２２２のみに形成する場合も同様である。
【０１３８】
前記各実施形態では、弾性部材４２２４が、液晶パネル４２１および凹部４２２１Ｄ，４２２２Ｄの間と、各保持部材本体４２２１Ａ，４２２２Ａにおける凹部４２２１Ｄ，４２２２Ｄを除く各平面部分の間に介在配置されていたが、これに限らない。弾性部材４２２４を、液晶パネル４２１および凹部４２２１Ｄ，４２２２Ｄの間にのみ介在配置させてもよく、あるいは、各保持部材本体４２２１Ａ，４２２２Ａにおける凹部４２２１Ｄ，４２２２Ｄを除く各平面部分の間にのみ介在配置させてもよい。
【０１３９】
図１５は、第１実施形態ないし前記第３実施形態の変形例を示す図である。
前記第１実施形態ないし前記第３実施形態では、スペーサ４６が単体で構成されていたが、これに限らない。
例えば、図１５に示すように、スペーサ６６を、一対の保持部材４２２１，４２２２における一対の起立片４２２１Ｂ，４２２２Ｂに対応して第１スペーサ部６６Ａおよび第２スペーサ部６６Ｂの２体で構成する。そして、第１スペーサ部６６Ａおよび第２スペーサ部６６Ｂは、図１５に示すように、光学装置本体６０Ａにおいて、断面略Ｌ字形状を有し、Ｌ字形状の一方側の端部が一対の保持部材４２２１，４２２２における保持部材本体４２２１Ａ，４２２２Ａの水平方向に交差する互いに平行な一対の端縁に沿うようにクロスダイクロイックプリズム４３の光束入射側端面に固定され、Ｌ字形状の他方側の端部が起立片４２２１Ｂ，４２２２Ｂに擦り合うように組み合わされる。なお、スペーサ６６の材料としては、前記第１実施形態で説明したスペーサ４６の材料と同様のものを採用できる。また、スペーサ６６を採用した場合であっても、スペーサ６６は、射出側偏光板４５とは熱伝達可能に接続しないようにクロスダイクロイックプリズム４３の光束入射側端面および台座４８の側面に固定される。このような構成でも前記第１実施形態と同様の効果を享受できる。また、前記第１実施形態と比較して、スペーサに製造誤差等が生じた場合であっても、クロスダイクロイックプリズム４３に対する第１スペーサ部６６Ａおよび第２スペーサ部６６Ｂの固定位置を変更することで対応でき、光学装置本体６０Ａの組立性を向上できる。
【０１４０】
前記各実施形態において、第１の保持部材４２２１の光束入射側端面に、入射する光束を反射させる構成としても構わない。例えば、第１の保持部材４２２１の光束入射側端面に鏡面加工を施してもよいし、第１の保持部材４２２１の光束入射側端面に銀合金等の高反射率の材料を蒸着等により形成してもよいし、第１の保持部材４２２１の光束入射側端面に高反射率を有する金属性のシート状部材を貼り付ける構成としてもよい。このような構成では、第１の保持部材４２２１に照射される光束が吸収されて熱に変換されることを抑制し、第１の保持部材４２２１の温度上昇を回避し、液晶パネル４２１の冷却効率を良好に維持できる。
【０１４１】
前記各実施形態において、液晶パネル４２１を構成する一対の基板４２１１，４２１２の光束入射側端面や光束射出側端面に、熱伝導率が１０Ｗ／ｍ・Ｋ以上の透光性基板（防塵ガラス）を貼り付ける構成を採用してもよい。前記透光性基板としては、例えば、バイレックス（商品名）、水晶、ＹＡＧ(Yttrium Aluminum Garnet)ガラス、サファイアガラス等が例示できる。
【０１４２】
前記各実施形態では、一対の保持部材４２２１，４２２２は、４つの固定ねじ４２２３により、４箇所で固定されていたが、少なくとも２箇所以上で固定していればよく、固定箇所の数は４箇所に限らない。
前記各実施形態では、一対の保持部材４２２１，４２２２は、固定ねじ４２２３によるねじ固定により固定されていたが、固定構造はねじ固定に限らず、リベットを用いたり、熱カシメ、溶接、接着剤による接着固定等により固定しても構わない。
【０１４３】
前記各実施形態では、一対の保持部材４２２１，４２２２を構成する各保持部材本体４２２１Ａ，４２２２Ａは、互いに対向する各端面の凹部４２２１Ｄ，４２２２Ｄを除く部分が平面状に形成されていたが、これに限らず、前記各端面の少なくともいずれか一方の端面に凸部を設けた構成を採用してもよい。このような構成では、弾性部材４２２４および前記凸部により、各保持部材４２２１，４２２２に生じた製造誤差を吸収することができ、光変調装置４２の組み立てを円滑に実施できる。
【０１４４】
前記各実施形態では、第１の保持部材４２２１および第２の保持部材４２２２の形状を略同一、すなわち、各厚み寸法を略同一に設定していたが、これに限らない。液晶パネル４２１の対向基板４２１１にマイクロレンズアレイ（不図示）を配置する場合は、入射光を集光しきれない光が駆動基板４２１２に設けた開口部（不図示）外に照射されて駆動基板４２１２の方が温度上昇する。または、マイクロレンズアレイを配置しない場合は、対向基板４２１１に設けた開口部（不図示）外に照射されて対向基板４２１１の方が温度上昇する。そこで、液晶パネル４２１の光束入射側および光束射出側のうち、より発熱量の大きい側に配置される保持部材の厚み寸法をより大きく形成する構成を採用してもよい。例えば、液晶パネル４２１の光束射出側の発熱量が光束入射側の発熱量よりも大きい場合には、第２の保持部材４２２２の厚み寸法を第１の保持部材４２２１の厚み寸法よりも大きく設定する。すなわち、液晶パネル４２１の発熱バランスに応じて各保持部材４２２１，４２２２の各厚み寸法を適宜設定すればよい。
【０１４５】
前記各実施形態では、各保持部材４２２１，４２２２の保持部材本体４２２１Ａ，４２２２Ａ、およびスペーサ４６，５６のスペーサ本体４６１，５６１は、平面視矩形形状を有していたが、平面視矩形形状に限らず、平面視台形形状等の他の形状を採用しても構わない。
【０１４６】
前記第４実施形態において、スペーサ５６に射出側偏光板４５を支持する支持部を設けてもよい。すなわち、射出側偏光板４５をクロスダイクロイックプリズム４３の光束入射側端面に貼付せずに、前記支持部に固定する。このように構成した場合であっても、スペーサ５６と光変調素子保持体４２２との接触面積が小さいので、射出側偏光板４５の熱が、液晶パネル４２１に伝達され、液晶パネル４２１に温度上昇が生じることはない。
【０１４７】
前記各実施形態では、入射側偏光板４４および射出側偏光板４５は、所定方向の偏光方向を有する光束を透過しその他の光束を吸収する吸収型の偏光板で構成したが、これに限らず、所定方向の偏光方向を有する光束を透過しその他の光束を反射する反射型の偏光板で構成しても構わない。
【０１４８】
前記各実施形態では、光源装置１０は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記各実施形態では、光源装置１０を１つのみ用い色分離光学系３０にて３つの色光に分離していたが、色分離光学系３０を省略し、３つの色光をそれぞれ射出する３つの前記固体発光素子を光源装置として構成してもよい。
【０１４９】
前記各実施形態では、プロジェクタ１は、光変調装置４２を３つ備える三板式のプロジェクタで構成していたが、これに限らず、光変調装置を１つ備える単板式のプロジェクタで構成しても構わない。また、光変調装置を２つ備えるプロジェクタや、光変調装置を４つ以上備えるプロジェクタとして構成しても構わない。
【０１５０】
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、液晶以外の光変調素子を用いてもよい。
前記各実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【０１５１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１５２】
本発明のプロジェクタは、光変調素子を効果的に冷却して熱劣化を抑制できるため、プレゼンテーションやホームシアタ等に用いられるプロジェクタとして利用できる。
【図面の簡単な説明】
【０１５３】
【図１】第１実施形態におけるプロジェクタの概略構成を示す平面図。
【図２】前記実施形態における光学装置本体の構成を示す図。
【図３】前記実施形態における光学装置本体の構成を示す図。
【図４】前記実施形態における光学装置本体を光学部品用筐体に設置した状態を示す図。
【図５】前記実施形態における冷却ユニットの概略構成を示す斜視図。
【図６】前記実施形態における冷却ユニットと光学部品用筐体との配置関係を示す斜視図。
【図７】前記実施形態における光学装置の赤色光側の冷却構造を示す図。
【図８】前記実施形態における光学装置の緑色光側の冷却構造および青色光側の冷却構造を模式的に示す図。
【図９】第２実施形態における冷却装置としての冷却ユニットの概略構成を示す斜視図。
【図１０】第３実施形態における冷却装置としての冷却ユニットの概略構成を示す斜視図。
【図１１】前記実施形態における青色光側分岐部の屈曲部分の配置位置および構造を模式的に示す図。
【図１２】第４実施形態における光学装置本体の構成を示す図。
【図１３】前記実施形態における光学装置本体の構成を示す図。
【図１４】前記実施形態における光学装置本体の構成を示す図。
【図１５】前記第１実施形態ないし前記第３実施形態の変形例を示す図。
【符号の説明】
【０１５４】
１・・・プロジェクタ、７，８，９・・・冷却ユニット（冷却装置）、１０・・・光源装置、４２・・・光変調装置、４２Ｒ・・・赤色光側光変調装置、４２Ｇ・・・緑色光側光変調装置、４２Ｂ・・・青色光側光変調装置、４３・・・クロスダイクロイックプリズム（色合成光学装置）、５０・・・投射光学系（投射光学装置）、７１，７２・・・シロッコファン（冷却ファン）、７３，８３，９３・・・吐出側ダクト、４２１・・・液晶パネル（光変調素子）、４２２，５２２・・・光変調素子保持体、４２２Ｒ，４２２Ｌ・・・板状部、６１１，６１１Ａ〜６１１Ｄ・・・整流部材、６１２，６１２Ａ１，６１２Ｂ１，６１２Ｂ２，６１２Ｃ１，６１２Ｃ２，６１２Ｄ１・・・整流面、７３１，８３１・・・第１流通部、７３２，８３２，９３２・・・第２流通部、７３１１，９３２２・・・赤色光側分岐部、７３１２・・・緑色光側分岐部、７３１２Ａ，７３２１，８３１１，９３２１Ａ・・・第１の流出口、７３１２Ｂ，７３２２，８３１２，９３２１Ｂ・・・第２の流出口、７３１２Ｃ，７３２３，８３１３，９３２１Ｃ・・・導風ガイド部、７３１２Ｄ，７３２４，８３１４，９３２１Ｅ・・・第３の流出口、７３１２Ｅ，７３２５，８３１５，９３２１Ｆ・・・補助整流部、９３２１・・・青色光側分岐部、９３２１Ｄ・・・屈曲部分、Ａ１１，Ａ１２・・・第１の空間、Ａ２・・・第２の空間。
【図１】
2007256500.tif 000003
【図２】
2007256500.tif 000004
【図３】
2007256500.tif 000005
【図４】
2007256500.tif 000006
【図５】
2007256500.tif 000007
【図６】
2007256500.tif 000008
【図７】
2007256500.tif 000009
【図８】
2007256500.tif 000010
【図９】
2007256500.tif 000011
【図１０】
2007256500.tif 000012
【図１１】
2007256500.tif 000013
【図１２】
2007256500.tif 000014
【図１３】
2007256500.tif 000015
【図１４】
2007256500.tif 000016
【図１５】
2007256500.tif 000017